(57)【要約】  本技術は、輝度のダイナミックレンジが広いクローズドキャプションを適切な明るさで表示させることができるようにする再生装置、再生方法、および記録媒体に関する。光ディスクには、第１の輝度範囲と異なるより広い第２の輝度範囲のクローズドキャプションであるHDRクローズドキャプションと、HDRクローズドキャプションの輝度の特性を示すHDR情報を含むtone_mapping_info、および、HDRクローズドキャプションから第１の輝度範囲のクローズドキャプションであるSTDクローズドキャプションへの輝度変換を行うときに用いられるtone mapping定義情報であるtone_mapping_infoが記録される。本技術は、クローズドキャプションを記録する記録媒体に適用することができる。
2015025726.tif 000002
【特許請求の範囲】
【請求項１】
第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報を読み出す読み出し部と、
前記輝度変換定義情報に基づいて、前記拡張クローズドキャプションを前記標準クローズドキャプションに変換する変換部と、
前記拡張クローズドキャプションを表示可能な表示装置に対して、前記拡張クローズドキャプションおよび前記HDR情報を出力し、前記拡張クローズドキャプションを表示することができない表示装置に対して、前記変換部により変換された前記標準クローズドキャプションを出力する出力部と
を備える再生装置。
【請求項２】
前記記録媒体は、HEVC（High Efficiency Video Coding）方式のビデオストリームを記録し、前記ビデオストリームのSEIとして、前記拡張クローズドキャプションを記録する
請求項１に記載の再生装置。
【請求項３】
前記記録媒体は、前記ビデオストリームのSEIとして前記HDR情報と前記輝度変換定義情報を識別する情報を記録する
請求項２に記載の再生装置。
【請求項４】
前記記録媒体は、前記ビデオストリームのSEIとして前記HDR情報と前記輝度変換定義情報を記録する
請求項３に記載の再生装置。
【請求項５】
前記記録媒体は、前記HDR情報と前記輝度変換定義情報を含む前記ビデオストリームとは異なるストリームを記録する
請求項３に記載の再生装置。
【請求項６】
前記輝度変換定義情報は、tone_map_model_idの値として0,2,3のうちのいずれかの値が設定された第１のtone_mapping_infoであり、
前記HDR情報は、tone_map_model_idの値として4が設定された第２のtone_mapping_infoである
請求項１に記載の再生装置。
【請求項７】
再生装置が、
第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報を読み出す読み出しステップと、
前記輝度変換定義情報に基づいて、前記拡張クローズドキャプションを前記標準クローズドキャプションに変換する変換ステップと、
前記拡張クローズドキャプションを表示可能な表示装置に対して、前記拡張クローズドキャプションおよび前記HDR情報を出力し、前記拡張クローズドキャプションを表示することができない表示装置に対して、前記変換ステップの処理により変換された前記標準クローズドキャプションを出力する出力ステップと
を含む再生方法。
【請求項８】
第１の輝度範囲と異なるより広い第２の輝度範囲のクローズドキャプションである拡張クローズドキャプションと、
前記拡張クローズドキャプションの輝度の特性を示すHDR情報と、
前記拡張クローズドキャプションから前記第１の輝度範囲のクローズドキャプションである標準クローズドキャプションへの輝度変換を行うときに用いられる輝度変換定義情報と
を記録した記録媒体であって、
前記記録媒体を再生する再生装置においては、
前記拡張クローズドキャプション、前記HDR情報、および前記輝度変換定義情報を前記記録媒体から読み出し、
前記輝度変換定義情報に基づいて、前記拡張クローズドキャプションを前記標準クローズドキャプションに変換し、
前記拡張クローズドキャプションを表示可能な表示装置に対して、前記拡張クローズドキャプションおよび前記HDR情報を出力し、前記拡張クローズドキャプションを表示することができない表示装置に対して、変換された前記標準クローズドキャプションを出力する
処理が行われる記録媒体。
【請求項９】
第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報を読み出す読み出し部と、
前記輝度変換定義情報に基づいて、前記標準クローズドキャプションを前記拡張クローズドキャプションに変換する変換部と、
前記拡張クローズドキャプションを表示可能な表示装置に対して、前記変換部により変換された前記拡張クローズドキャプションおよび前記HDR情報を出力し、前記拡張クローズドキャプションを表示することができない表示装置に対して、前記標準クローズドキャプションを出力する出力部と
を備える再生装置。
【請求項１０】
前記記録媒体は、HEVC（High Efficiency Video Coding）方式のビデオストリームを記録し、前記ビデオストリームのSEIとして、前記標準クローズドキャプションを記録する
請求項９に記載の再生装置。
【請求項１１】
前記記録媒体は、前記ビデオストリームのSEIとして前記HDR情報と前記輝度変換定義情報を識別する情報を記録する
請求項１０に記載の再生装置。
【請求項１２】
前記記録媒体は、前記ビデオストリームのSEIとして前記HDR情報と前記輝度変換定義情報を記録する
請求項１１に記載の再生装置。
【請求項１３】
前記記録媒体は、前記HDR情報と前記輝度変換定義情報を含む前記ビデオストリームとは異なるストリームを記録する
請求項１１に記載の再生装置。
【請求項１４】
前記輝度変換定義情報は、tone_map_model_idの値として0,2,3のうちのいずれかの値が設定された第１のtone_mapping_infoであり、
前記HDR情報は、tone_map_model_idの値として4が設定された第２のtone_mapping_infoである
請求項９に記載の再生装置。
【請求項１５】
再生装置が、
第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報を読み出す読み出しステップと、
前記輝度変換定義情報に基づいて、前記標準クローズドキャプションを前記拡張クローズドキャプションに変換する変換ステップと、
前記拡張クローズドキャプションを表示可能な表示装置に対して、前記変換ステップの処理により変換された前記拡張クローズドキャプションおよび前記HDR情報を出力し、前記拡張クローズドキャプションを表示することができない表示装置に対して、前記標準クローズドキャプションを出力する出力ステップと
を含む再生方法。
【請求項１６】
第１の輝度範囲のクローズドキャプションである標準クローズドキャプションと、
前記第１の輝度範囲と異なるより広い第２の輝度範囲のクローズドキャプションである拡張クローズドキャプションの輝度の特性を示すHDR情報と、
前記標準クローズドキャプションから前記拡張クローズドキャプションへの輝度変換を行うときに用いられる輝度変換定義情報と
を記録した記録媒体であって、
前記記録媒体を再生する再生装置においては、
前記標準クローズドキャプション、前記HDR情報、および前記輝度変換定義情報を前記記録媒体から読み出し、
前記輝度変換定義情報に基づいて、前記標準クローズドキャプションを前記拡張クローズドキャプションに変換し、
前記拡張クローズドキャプションを表示可能な表示装置に対して、変換された前記拡張クローズドキャプションおよび前記HDR情報を出力し、前記拡張クローズドキャプションを表示することができない表示装置に対して、前記標準クローズドキャプションを出力する
処理が行われる記録媒体。
【発明の詳細な説明】
【技術分野】
【０００１】
本技術は、再生装置、再生方法、および記録媒体に関し、特に、輝度のダイナミックレンジが広いクローズドキャプションを適切な明るさで表示させることができるようにした再生装置、再生方法、および記録媒体に関する。
【背景技術】
【０００２】
映画などのコンテンツの記録メディアとしてBlu-ray（登録商標） Disc（以下、適宜、BDという）がある。従来、BDに収録するクローズドキャプションのオーサリングは、標準の輝度（100nit＝100cd/m2）のモニタで視聴することを前提に作成されている。
【先行技術文献】
【特許文献】
【０００３】
【特許文献１】特開２００９−５８６９２号公報
【特許文献２】特開２００９−８９２０９号公報
【発明の概要】
【発明が解決しようとする課題】
【０００４】
一方、近年、有機EL(Electroluminescence)ディスプレイやLCD(Liquid Crystal Display)等のディスプレイ技術の進歩により、500nitや1000nitといったような、標準よりも明るいモニタが市販されている。このような広いダイナミックレンジを有するモニタの性能を活かすようなクローズドキャプションに対する要求がある。【０００５】
本技術はこのような状況に鑑みてなされたものであり、輝度のダイナミックレンジが広いクローズドキャプションを適切な明るさで表示させることができるようにするものである。
【課題を解決するための手段】
【０００６】
本技術の第１の側面の再生装置は、第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報を読み出す読み出し部と、  前記輝度変換定義情報に基づいて、前記拡張クローズドキャプションを前記標準クローズドキャプションに変換する変換部と、前記拡張クローズドキャプションを表示可能な表示装置に対して、前記拡張クローズドキャプションおよび前記HDR情報を出力し、前記拡張クローズドキャプションを表示することができない表示装置に対して、前記変換部により変換された前記標準クローズドキャプションを出力する出力部とを備える再生装置である。【０００７】
本技術の第１の側面の再生方法は、本技術の第１の側面の再生装置に対応する。【０００８】
本技術の第１の側面においては、第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報が読み出され、前記輝度変換定義情報に基づいて、前記拡張クローズドキャプションが前記標準クローズドキャプションに変換され、前記拡張クローズドキャプションを表示可能な表示装置に対して、前記拡張クローズドキャプションおよび前記HDR情報が出力され、前記拡張クローズドキャプションを表示することができない表示装置に対して、変換された前記標準クローズドキャプションが出力される。【０００９】
本技術の第２の側面の記録媒体は、第１の輝度範囲と異なるより広い第２の輝度範囲のクローズドキャプションである拡張クローズドキャプションと、前記拡張クローズドキャプションの輝度の特性を示すHDR情報と、前記拡張クローズドキャプションから前記第１の輝度範囲のクローズドキャプションである標準クローズドキャプションへの輝度変換を行うときに用いられる輝度変換定義情報とを記録した記録媒体であって、前記記録媒体を再生する再生装置においては、前記拡張クローズドキャプション、前記HDR情報、および前記輝度変換定義情報を前記記録媒体から読み出し、前記輝度変換定義情報に基づいて、前記拡張クローズドキャプションを前記標準クローズドキャプションに変換し、前記拡張クローズドキャプションを表示可能な表示装置に対して、前記拡張クローズドキャプションおよび前記HDR情報を出力し、前記拡張クローズドキャプションを表示することができない表示装置に対して、変換された前記標準クローズドキャプションを出力する処理が行われる記録媒体である。【００１０】
本技術の第２の側面においては、第１の輝度範囲と異なるより広い第２の輝度範囲のクローズドキャプションである拡張クローズドキャプションと、前記拡張クローズドキャプションの輝度の特性を示すHDR情報と、前記拡張クローズドキャプションから前記第１の輝度範囲のクローズドキャプションである標準クローズドキャプションへの輝度変換を行うときに用いられる輝度変換定義情報とが記録される。【００１１】
本技術の第３の側面の再生装置は、第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報を読み出す読み出し部と、前記輝度変換定義情報に基づいて、前記標準クローズドキャプションを前記拡張クローズドキャプションに変換する変換部と、前記拡張クローズドキャプションを表示可能な表示装置に対して、前記変換部により変換された前記拡張クローズドキャプションおよび前記HDR情報を出力し、前記拡張クローズドキャプションを表示することができない表示装置に対して、前記標準クローズドキャプションを出力する出力部とを備える再生装置である。【００１２】
本技術の第３の側面の再生方法は、本技術の第３の側面の再生装置に対応する。【００１３】
本技術の第３の側面においては、第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報が読み出され、前記輝度変換定義情報に基づいて、前記標準クローズドキャプションが前記拡張クローズドキャプションに変換され、前記拡張クローズドキャプションを表示可能な表示装置に対して、変換された前記拡張クローズドキャプションおよび前記HDR情報が出力され、前記拡張クローズドキャプションを表示することができない表示装置に対して、前記標準クローズドキャプションが出力される。【００１４】
本技術の第４の側面の記録媒体は、第１の輝度範囲のクローズドキャプションである標準クローズドキャプションと、前記第１の輝度範囲と異なるより広い第２の輝度範囲のクローズドキャプションである拡張クローズドキャプションの輝度の特性を示すHDR情報と、前記標準クローズドキャプションから前記拡張クローズドキャプションへの輝度変換を行うときに用いられる輝度変換定義情報とを記録した記録媒体であって、前記記録媒体を再生する再生装置においては、前記標準クローズドキャプション、前記HDR情報、および前記輝度変換定義情報を前記記録媒体から読み出し、前記輝度変換定義情報に基づいて、前記標準クローズドキャプションを前記拡張クローズドキャプションに変換し、前記拡張クローズドキャプションを表示可能な表示装置に対して、変換された前記拡張クローズドキャプションおよび前記HDR情報を出力し、前記拡張クローズドキャプションを表示することができない表示装置に対して、前記標準クローズドキャプションを出力する処理が行われる記録媒体である。【００１５】
本技術の第４の側面においては、第１の輝度範囲のクローズドキャプションである標準クローズドキャプションと、前記第１の輝度範囲と異なるより広い第２の輝度範囲のクローズドキャプションである拡張クローズドキャプションの輝度の特性を示すHDR情報と、前記標準クローズドキャプションから前記拡張クローズドキャプションへの輝度変換を行うときに用いられる輝度変換定義情報とが記録される。
【発明の効果】
【００１６】
本技術によれば、輝度のダイナミックレンジが広いクローズドキャプションを適切な明るさで表示させることができる。
【図面の簡単な説明】
【００１７】
【図１】本技術を適用した記録・再生システムの第１実施の形態の構成例を示す図である。
【図２】mode-iにおける信号処理の例を示す図である。
【図３】mode-iにおいて処理される信号の流れを示す図である。
【図４】mode-iiにおける信号処理の例を示す図である。
【図５】mode-iiにおいて処理される信号の流れを示す図である。
【図６】ビデオストリームの構成例を示す図である。
【図７】tone_mapping_infoのシンタクスを示す図である。
【図８】tone mapping定義情報とHDR情報として用いられる情報の例を示す図である。
【図９】tone_map_model_id＝0のTone_mapping_infoにより示されるトーンカーブの例を示す図である。
【図１０】tone_map_model_id＝2のTone_mapping_infoにより示される階段関数の例を示す図である。
【図１１】tone_map_model_id＝3のTone_mapping_infoにより示される折れ線関数の例を示す図である。
【図１２】HDR情報に含まれる各情報の例を示す図である。
【図１３】User data unregistered SEI messageのシンタクスを示す図である。
【図１４】BD-ROMフォーマットにおけるAVストリームの管理構造の例を示す図である。
【図１５】Main PathとSub Pathの構造を示す図である。
【図１６】ファイルの管理構造の例を示す図である。
【図１７】STN_tableのシンタクスを示す図である。
【図１８】本技術を適用した記録・再生システムの第１実施の形態の記録装置の構成例を示すブロック図である。
【図１９】図１８の符号化処理部の構成例を示すブロック図である。
【図２０】HDR-STD変換部による信号処理の例を示す図である。
【図２１】tone mappingの例を示す図である。
【図２２】本技術を適用した記録・再生システムの第１実施の形態の再生装置の構成例を示すブロック図である。
【図２３】図２２の復号処理部の構成例を示すブロック図である。
【図２４】表示装置の構成例を示すブロック図である。
【図２５】図１８の記録装置の記録処理について説明するフローチャートである。
【図２６】図２５のmode-iでの符号化処理について説明するフローチャートである。
【図２７】図２５のmode-iiでの符号化処理について説明するフローチャートである。
【図２８】図２２の再生装置の再生処理について説明するフローチャートである。
【図２９】図２８のmode-iでの復号処理について説明するフローチャートである。
【図３０】図２８のmode-iiでの復号処理について説明するフローチャートである。
【図３１】図２４の表示装置の表示処理について説明するフローチャートである。
【図３２】本技術を適用した記録・再生システムの第２実施の形態におけるAVストリームの構成例を示す図である。
【図３３】Tone_mapストリームのシンタクスを示す図である。
【図３４】本技術を適用した記録・再生システムの第２実施の形態の符号化処理部の構成例を示す図である。
【図３５】本技術を適用した記録・再生システムの第２実施の形態の復号処理部の構成例を示すブロック図である。
【図３６】記録装置の第２の実施の形態による記録処理を説明するフローチャートである。
【図３７】図３６のmode-iでの符号化処理を説明するフローチャートである。
【図３８】図３６のmode-iiでの符号化処理を説明するフローチャートである。
【図３９】再生装置の第２実施の形態による再生処理を説明するフローチャートである。
【図４０】図３９のmode-iでの復号処理を説明するフローチャートである。
【図４１】図３９のmode-iiでの復号処理の詳細を説明するフローチャートである。
【図４２】コンピュータの構成例を示すブロック図である。
【発明を実施するための形態】
【００１８】
＜第１実施の形態＞
（記録・再生システムの第１実施の形態の構成例）
図１は、本技術を適用した記録・再生システムの第１実施の形態の構成例を示す図である。
【００１９】
図１の記録・再生システムは、記録装置１、再生装置２、および表示装置３から構成される。再生装置２と表示装置３はHDMI（登録商標）(High Definition Multimedia Interface)ケーブル４を介して接続される。再生装置２と表示装置３が他の規格のケーブルを介して接続されるようにしてもよいし、無線による通信を介して接続されるようにしてもよい。
【００２０】
記録装置１はコンテンツを記録し、再生装置２はコンテンツを再生する。記録装置１から再生装置２に対するコンテンツの提供は光ディスク１１を用いて行われる。光ディスク１１は、例えばBD-ROM（Blu-ray（登録商標） Disc Read-Only）フォーマットでコンテンツが記録されたディスクである。
【００２１】
光ディスク１１に対するコンテンツの記録がBD-R,-REなどの他のフォーマットで行われるようにしてもよい。また、記録装置１から再生装置２に対するコンテンツの提供が、フラッシュメモリを搭載したメモリカードなどの、光ディスク以外のリムーバブルメディアを用いて行われるようにしてもよいし、ネットワーク配信により行われてもよい。
【００２２】
光ディスク１１がBD-ROMのディスクである場合、記録装置１は例えばコンテンツのオーサーが使う装置となる。以下、適宜、記録装置１によってコンテンツが記録された光ディスク１１が再生装置２に提供されるものとして説明するが、実際には、記録装置１によりコンテンツが記録されたマスター盤に基づいて光ディスクが複製され、その一つである光ディスク１１が再生装置２に提供される。
【００２３】
記録装置１に対しては、標準の輝度のモニタで表示可能なダイナミックレンジ（輝度範囲）以上のダイナミックレンジを有するビデオである１以上のHDR(High Dynamic Range)ビデオが入力される。標準の輝度は例えば100cd/m2（＝100nit）である。
【００２４】
また、記録装置１に対しては、標準の輝度のモニタで表示可能なダイナミックレンジ以上のダイナミックレンジを有するクローズドキャプションであるHDRクローズドキャプション（拡張クローズドキャプション）が入力される。なお、以下では、HDRビデオとHDRクローズドキャプションを特に区別する必要がない場合、それらをまとめてHDRデータという。
【００２５】
記録装置１は、入力されたマスターのHDRビデオをそのまま、すなわち標準の輝度を有するモニタで表示可能なダイナミックレンジ以上のダイナミックレンジを有するビデオのまま符号化し、BDフォーマットで光ディスク１１に記録する。また、記録装置１は、入力されたマスターのHDRクローズドキャプションをそのまま、すなわち標準の輝度を有するモニタで表示可能なダイナミックレンジ以上のダイナミックレンジを有するクローズドキャプションのまま、BDフォーマットで光ディスク１１に記録する。
【００２６】
この場合、光ディスク１１には、マスターのHDRデータの輝度の特性を示すHDR情報と、HDRデータをSTDデータに変換するときに用いられる低変換情報も記録される。
【００２７】
STDデータは、標準の輝度を有するモニタで表示可能なダイナミックレンジのビデオであるSTDビデオ（standardビデオ）、および、そのダイナミックレンジのクローズドキャプションであるSTDクローズドキャプションの総称である。STDデータのダイナミックレンジを0-100％とすると、HDRデータのダイナミックレンジは0-500％、0-1000％といったような、0％から101％以上の範囲として表される。
【００２８】
また、記録装置１は、入力されたマスターのHDRデータをSTDデータに変換する。そして、記録装置１は、変換の結果得られるSTDビデオ、すなわち標準の輝度を有するモニタで表示可能なダイナミックレンジを有するビデオを符号化し、BDフォーマットで光ディスク１１に記録する。また、記録装置１は、変換の結果得られるSTDクローズドキャプション、すなわち標準の輝度を有するモニタで表示可能なダイナミックレンジを有するクローズドキャプションを、BDフォーマットで光ディスク１１に記録する。この場合、光ディスク１１には、HDR情報と、STDデータをHDRデータに変換するときに用いられる高変換情報も記録される。
【００２９】
記録装置１が記録するHDRビデオ、またはHDRビデオを変換して得られたSTDビデオは、例えば、横×縦の解像度が4096×2160、3840×2160画素などのいわゆる4K解像度のビデオである。ビデオの符号化の方式としては、例えばHEVC(High Efficiency Video Coding)方式が用いられる。
【００３０】
HEVC方式では、HDR画像のデータの輝度の特性を示す情報と、HDR画像のデータをSTD画像のデータに、またはSTD画像のデータをHDR画像のデータに変換するときに用いられる情報を、SEI(Supplemental Enhancement Information)に設定することができる。従って、第１実施の形態では、HDR情報と、低変換情報または高変換情報とは、ビデオのHEVCストリームであるビデオストリームのSEIに設定されて記録される。また、HEVC方式では、SEIとして任意のデータを配置することができるため、クローズドキャプションも、ビデオストリームのSEIに設定されて記録される。
【００３１】
再生装置２は、HDMIケーブル４を介して表示装置３と通信を行い、表示装置３の表示性能に関する情報を取得する。再生装置２は、表示装置３がHDRデータの表示が可能なモニタであるHDRモニタを有する装置であるのか、STDデータの表示しかできないモニタであるSTDモニタを有する装置であるのかを特定する。
【００３２】
また、再生装置２は、ドライブを駆動し、光ディスク１１に記録されたビデオストリームを読み出して復号する。
【００３３】
例えば、再生装置２は、復号して得られたデータがHDRデータであり、表示装置３がHDRモニタを有する場合、復号して得られたHDRデータを表示装置３に出力する。この場合、再生装置２は、HDRデータとともに、HDR情報を表示装置３に出力する。
【００３４】
一方、再生装置２は、復号して得られたデータがHDRデータであり、表示装置３がSTDモニタを有する場合、復号して得られたHDRデータをSTDデータに変換し、STDデータを出力する。HDRデータのSTDデータへの変換は、光ディスク１１に記録されている、低変換情報を用いて行われる。
【００３５】
再生装置２は、復号して得られたデータがSTDデータであり、表示装置３がHDRモニタを有する場合、復号して得られたSTDデータをHDRデータに変換し、HDRデータを表示装置３に出力する。STDデータのHDRデータへの変換は、光ディスク１１に記録されている高変換情報を用いて行われる。この場合、再生装置２は、HDRデータとともに、HDR情報を表示装置３に出力する。
【００３６】
一方、再生装置２は、復号して得られたデータがSTDデータであり、表示装置３がSTDモニタを有する場合、復号して得られたSTDデータを表示装置３に出力する。
【００３７】
表示装置３は、再生装置２から送信されたSTDデータまたはHDRデータを受信し、STDデータまたはHDRデータに基づいて映像をモニタに表示する。
【００３８】
例えば、表示装置３は、HDR情報が送信されてきた場合、そのHDR情報とともに再生装置２から送信されてきたデータがHDRデータであるとして認識する。上述したように、HDRモニタを有する表示装置３に対しては、HDRデータとともに、HDR情報が送信されてくる。
【００３９】
この場合、表示装置３は、HDRデータの映像を、HDR情報により指定される特性に従って表示する。すなわち、表示装置３は、自身が有するモニタが0-500％のダイナミックレンジを有するモニタであり、HDR情報により、HDRデータのダイナミックレンジが0-500％の所定の特性であると指定された場合、その所定の特性に従って、0-500％の範囲で輝度を調整して映像を表示する。
【００４０】
マスターのHDRデータの輝度の特性を指定することができるようにすることにより、コンテンツのオーサー（Author）は、意図したとおりの輝度で映像を表示させることが可能になる。
【００４１】
通常、TVなどの表示装置は、外部から入力されたデータを0-100％のダイナミックレンジを有するデータとして認識する。また、表示装置は、自身のモニタがそれより広いダイナミックレンジを有する場合には、モニタの特性に応じて輝度を自ら拡張して映像を表示させてしまう。輝度の特性を指定し、指定した特性に従ってHDRデータの輝度を調整させることにより、オーサーの意図しない輝度調整が表示装置側で行われるのを防ぐことが可能になる。
【００４２】
また、通常、TVなどの表示装置にデータを出力する再生装置は、伝送路の特性に応じて輝度を変換してからデータを出力する。そのデータを受信した表示装置は、受信したデータの輝度をモニタの特性に応じて変換し、映像を表示させることになる。再生装置２において輝度の変換を行わずに、再生装置２からHDRデータのまま表示装置３に出力させることにより、輝度変換の回数を減らすことができ、マスターにより近い輝度の映像を表示装置３に表示させることが可能になる。
【００４３】
一方、表示装置３は、HDR情報が送信されてこない場合、再生装置２から送信されたデータがSTDデータであると認識し、STDデータの映像を表示する。再生装置２からSTDデータが送信されてくるということは、表示装置３はSTDモニタを有する装置である。
【００４４】
また、記録装置１により光ディスク１１にオーディオデータが記録される場合には、再生装置２からオーディオデータも送信されてくる。表示装置３は、再生装置２から送信されてきたオーディオデータに基づいて、音声をスピーカから出力させる。
【００４５】
以下、適宜、マスターのHDRデータをそのまま光ディスク１１に記録するモードをmode-iという。mode-iの場合、光ディスク１１には、HDR情報と低変換情報が記録される。
【００４６】
また、マスターのHDRデータをSTDデータに変換して光ディスク１１に記録するモードをmode-iiという。mode-iiの場合、光ディスク１１には、HDR情報と高変換情報が記録される。
【００４７】
（mode-iにおける信号処理）
図２は、mode-iにおける信号処理の例を示す図である。
【００４８】
実線Ｌ１で囲んで示す左側の処理が記録装置１において行われる符号化処理を示し、実線Ｌ２で囲んで示す右側の処理が再生装置２において行われる復号処理を示す。
【００４９】
マスターのHDRデータが入力された場合、記録装置１は、マスターのHDRデータの輝度を検出し、矢印＃１の先に示すように、HDR情報を生成する。また、記録装置１は、矢印＃２−１の先に示すように、マスターのHDRビデオをHEVC方式で符号化して符号化データを生成する。
【００５０】
記録装置１は、矢印＃３の先に示すように、マスターのHDRデータをSTDデータに変換する。変換して得られたSTDデータの映像は図示せぬモニタに表示される。HDRデータのSTDデータへの変換は、適宜、変換後のSTDデータの映像をオーサーが目で確認し、変換パラメータを調整しながら行われる。
【００５１】
オーサーによる調整に基づいて、記録装置１は、矢印＃４の先に示すように、低変換情報であるHDR-STD変換用のtone mapping定義情報を生成する。
【００５２】
tone mapping定義情報は、標準のダイナミックレンジより広い0-400％などのダイナミックレンジにおける各輝度値と、標準のダイナミックレンジである0-100％のダイナミックレンジにおける各輝度値の対応関係を定義する情報である。
【００５３】
記録装置１は、矢印＃５の先に示すように、HDR情報とtone mapping定義情報をSEIとしてHDRビデオの符号化データに挿入するとともに、矢印＃２−２の先に示すように、マスターのHDRクローズドキャプションをSEIとしてHDRビデオの符号化データに挿入し、ビデオストリームを生成する。記録装置１は、生成したビデオストリームをBDフォーマットで光ディスク１１に記録し、矢印＃１１に示すように再生装置２に提供する。
【００５４】
このように、HDR情報およびHDR-STD変換用のtone mapping定義情報、並びにHDRクローズドキャプションは、SEIを用いて、ビデオストリーム中に挿入する形で再生装置２に提供される。
【００５５】
再生装置２は、光ディスク１１からビデオストリームを読み出し、矢印＃２１，＃２２，＃２３−２の先に示すように、ビデオストリームのSEIから、HDR情報、HDR-STD変換用のtone mapping定義情報、およびHDRクローズドキャプションを抽出する。
【００５６】
また、再生装置２は、矢印＃２３−１の先に示すように、ビデオストリームに含まれる符号化データをHEVC方式で復号し、HDRビデオを生成する。再生装置２は、表示装置３がHDRモニタを有する場合、矢印＃２４の先に示すように、HDRデータにHDR情報を付加し、矢印＃２５の先に示すように表示装置３に出力する。
【００５７】
一方、再生装置２は、表示装置３がSTDモニタを有する場合、矢印＃２６の先に示すように、ビデオストリームから抽出されたHDR-STD変換用のtone mapping定義情報を用いて、HDRデータをSTDデータに変換する。再生装置２は、矢印＃２７の先に示すように、変換して得られたSTDデータを表示装置３に出力する。
【００５８】
このように、HDRデータは、HDR情報とともに、HDRモニタを有する表示装置３に出力される。また、HDRデータは、STDデータに変換された後、STDモニタを有する表示装置３に出力される。
【００５９】
図３は、マスターのHDRデータが記録装置１に入力されてから、再生装置２からデータが出力されるまでの処理の流れを示す図である。
【００６０】
マスターのHDRデータは、白抜き矢印＃５１の先に示すように、マスターのHDRデータに基づいて記録装置１において生成されたHDR情報とHDR-STD変換用のtone mapping定義情報とともに再生装置２に提供される。HDR情報には例えばダイナミックレンジが0-400%の範囲に拡張されていることを表す情報が含まれる。
【００６１】
表示装置３がHDRモニタを有する場合、再生装置２においては、矢印＃５２，＃５３の先に示すように、復号して得られたHDRデータにHDR情報が付加される。また、HDR情報が付加されたHDRデータが矢印＃５４の先に示すように表示装置３に出力される。
【００６２】
一方、表示装置３がSTDモニタを有する場合、再生装置２においては、矢印＃５５，＃５６の先に示すように、復号して得られたHDRデータがHDR-STD変換用のtone mapping定義情報を用いてSTDデータに変換される。また、変換して得られたSTDデータが矢印＃５７の先に示すように表示装置３に出力される。図３において、HDRデータを示す波形の振幅とSTDデータを示す波形の振幅はそれぞれダイナミックレンジを示す。
【００６３】
このように、mode-iにおいては、マスターのHDRデータがHDRデータのまま光ディスク１１に記録される。また、出力先となる表示装置３の性能に応じて、復号して得られたHDRデータをそのままHDR情報を付加して出力するのか、HDRデータをSTDデータに変換して出力するのかが切り替えられる。
【００６４】
（mode-iiにおける信号処理）
図４は、mode-iiにおける信号処理の例を示す図である。
【００６５】
マスターのHDRデータが入力された場合、記録装置１は、マスターのHDRデータの輝度を検出し、矢印＃７１の先に示すようにHDR情報を生成する。
【００６６】
記録装置１は、矢印＃７２の先に示すように、マスターのHDRデータをSTDデータに変換する。変換して得られたSTDデータの映像は図示せぬモニタに表示される。
【００６７】
オーサーによる調整に基づいて、記録装置１は、矢印＃７３の先に示すように、高変換情報であるSTD-HDR変換用のtone mapping定義情報を生成する。
【００６８】
また、記録装置１は、矢印＃７４−１の先に示すように、STDデータのうちのSTDビデオをHEVC方式で符号化して符号化データを生成する。
【００６９】
記録装置１は、矢印＃７５の先に示すように、HDR情報とtone mapping定義情報をSEIとしてSTDビデオの符号化データに挿入するとともに、矢印＃７４−２の先に示すように、STDデータのうちのSTDクローズドキャプションをSEIとしてSTDビデオの符号化データに挿入する。記録装置１は、その結果生成されるビデオストリームをBDフォーマットで光ディスク１１に記録し、矢印＃９１に示すように再生装置２に提供する。
【００７０】
このように、HDR情報およびSTD-HDR変換用のtone mapping定義情報、並びにSTDクローズドキャプションは、SEIを用いて、ビデオストリーム中に挿入する形で再生装置２に提供される。
【００７１】
再生装置２は、光ディスク１１からビデオストリームを読み出し、矢印＃１０１，＃１０２，＃１０３−２の先に示すように、ビデオストリームのSEIからHDR情報、STD-HDR変換用のtone mapping定義情報、およびSTDクローズドキャプションを抽出する。
【００７２】
また、再生装置２は、矢印＃１０３−１の先に示すように、ビデオストリームに含まれる符号化データをHEVC方式で復号してSTDビデオを生成する。再生装置２は、表示装置３がSTDモニタを有する場合、矢印＃１０４の先に示すように、STDデータを表示装置３に出力する。
【００７３】
一方、再生装置２は、表示装置３がHDRモニタを有する場合、矢印＃１０５の先に示すように、ビデオストリームから抽出されたSTD-HDR変換用のtone mapping定義情報を用いて、STDデータをHDRデータに変換する。再生装置２は、矢印＃１０６の先に示すように、変換して得られたHDRデータにHDR情報を付加し、矢印＃１０７の先に示すように表示装置３に出力する。
【００７４】
このように、STDデータは、HDRデータに変換された後、HDR情報とともに、HDRモニタを有する表示装置３に出力される。また、STDデータは、STDモニタを有する表示装置３にそのまま出力される。
【００７５】
図５は、マスターのHDRデータが記録装置１に入力されてから、再生装置２からデータが出力されるまでの処理の流れを示す図である。
【００７６】
マスターのHDRデータは、白抜き矢印＃１２１の先に示すように、STDデータに変換された後、マスターのHDRデータに基づいて記録装置１において生成されたHDR情報とSTD-HDR変換用のtone mapping定義情報とともに再生装置２に提供される。
【００７７】
表示装置３がHDRモニタを有する場合、再生装置２においては、矢印＃１２２，＃１２３の先に示すように、復号して得られたSTDデータがSTD-HDR変換用のtone mapping定義情報を用いてHDRデータに変換される。また、矢印＃１２４，＃１２５の先に示すように、STDデータを変換して得られたHDRデータにHDR情報が付加され、矢印＃１２６の先に示すように表示装置３に出力される。
【００７８】
一方、表示装置３がSTDモニタを有する場合、再生装置２においては、矢印＃１２７の先に示すように、復号して得られたSTDデータが表示装置３に出力される。
【００７９】
このように、mode-iiにおいては、マスターのHDRデータがSTDデータに変換されて光ディスク１１に記録される。また、出力先となる表示装置３の性能に応じて、復号して得られたSTDデータをHDRデータに変換し、HDR情報を付加して出力するのか、STDデータをそのまま出力するのかが切り替えられる。
【００８０】
以上のような記録装置１と再生装置２の構成と動作の詳細については後述する。
【００８１】
ここで、ビデオストリームについて説明する。
【００８２】
（ビデオストリームの構成例）
図６は、ビデオストリームの構成例を示す図である。
【００８３】
ビデオストリームは、NAL(Network Abstraction Layer)ユニットの集まりであるアクセスユニットから構成される。１つのアクセスユニットには１ピクチャのビデオデータが含まれる。
【００８４】
図６に示すように、１つのアクセスユニットは、AUデリミタ(Access Unit delimiter)、VPS(Video Parameter Set)、SPS(Sequence Parameter Set)、PPS(Picture Parameter Set)、SEI、VCL(Video Coding Layer)、EOS(End of Sequence)、およびEOS(End of Stream)から構成される。
【００８５】
AUデリミタは、アクセスユニットの先頭を示す。VPSは、ビデオストリームの内容を表すメタデータを含む。SPSは、ピクチャサイズ、CTB(Coding Tree Block)サイズなどの、HEVCデコーダがシーケンスの復号処理を通じて参照する必要のある情報を含む。PPSは、HEVCデコーダがピクチャの復号処理を実行するために参照する必要のある情報を含む。VPS,SPS,PPSがヘッダ情報として用いられる。
【００８６】
SEIは、各ピクチャのタイミング情報やランダムアクセスに関する情報などを含む補助情報である。HDR情報とtone mapping定義情報は、SEIの１つであるTone mapping information SEI messageにtone_mapping_infoとして含まれる。tone_mapping_infoには、tone_mapping_infoを識別する識別情報が付与されている。本明細書では、識別情報がｉであるtone_mapping_infoをtone_mapping_info＃ｉという。また、クローズドキャプション（Closed caption）は、SEIの１つであるUser data unregistered SEI messageに含まれる。
【００８７】
VCLは１ピクチャの符号化データである。EOS(End of Sequence)はシーケンスの終了位置を示し、EOS(End of Stream)はビデオストリームの終了位置を示す。
【００８８】
（tone_mapping_infoについて）
図７は、tone_mapping_infoのシンタクスを示す図である。
【００８９】
tone_mapping_infoを用いて、復号して得られた映像の明るさや色が、映像の出力先となるモニタの性能に合わせて変換される。なお、図７の左側の行番号とコロン（：）は説明の便宜上示すものであり、シンタクスに含まれるものではない。このことは、後述する図１３、図１７、および図３３においても同様である。tone_mapping_infoに含まれる主な情報について説明する。
【００９０】
２行目のtone_map_idは、tone_mapping_infoの識別情報である。８行目のtone_map_model_idは、変換に用いるtone mapのモデルを表す。
【００９１】
記録装置１においては、tone_map_model_idとして0,2,3のうちのいずれかの値が設定されたtone_mapping_infoと、tone_map_model_idとして４の値が設定されたtone_mapping_infoが少なくとも１つずつ生成される。
【００９２】
図８に示すように、tone_map_model_idとして0,2,3のうちのいずれかの値が設定されたtone_mapping_infoが、HDR-STD変換用またはSTD-HDR変換用のtone mapping定義情報として用いられる。また、tone_map_model_idとして４の値が設定されたtone_mapping_infoに含まれる情報が、HDR情報として用いられる。
【００９３】
図７の９〜１１行目がtone_map_model_id＝0に関する記述である。tone_map_model_id＝0である場合、min_valueとmax_valueが記述される。
【００９４】
図９は、tone_map_model_id＝0のtone_mapping_infoにより示されるトーンカーブの例を示す図である。
【００９５】
図９の横軸がcoded_data（変換前のRGB値）を示し、縦軸がtarget_data（変換後のRGB値）を示す。図９のトーンカーブを用いた場合、Ｄ１以下のRGB値は、白抜き矢印＃１５１で示すようにmin_valueにより示されるRGB値に変換される。また、Ｄ２以上のRGB値は、白抜き矢印＃１５２で示すようにmax_valueにより示されるRGB値に変換される。
【００９６】
tone_map_model_id＝0のtone_mapping_infoは、HDR-STD変換用のtone mapping定義情報として用いられる。tone_map_model_id＝0のtone_mapping_infoを用いた場合、max_value以上とmin_value以下の輝度（RGB値により表される輝度）が失われることになるが、変換処理の負荷は軽くなる。
【００９７】
図７の１５〜１７行目がtone_map_model_id＝2に関する記述である。tone_map_model_id＝2である場合、階段関数を表す、max_target_dataの数のstart_of_coded_interval[i]が記述される。start_of_coded_interval[i]は、target_dataのiに変換されるcoded_data以上であり、target_dataのi+1に変換されるcoded_dataより小さい区間の開始位置を表す。
【００９８】
start_of_coded_interval[i]のビット数は、６行目のcoded_data_bit_depthによって決まる可変値であってもよいし、固定値(例えば、256ビット)であってもよい。可変値の場合、固定値の場合に比べてビット数を削減することができる。
【００９９】
図１０は、tone_map_model_id＝2のtone_mapping_infoにより示される階段関数の例を示す図である。
【０１００】
図１０の例では、start_of_coded_interval[i]（i=0,1,2,3,4,5,6,7）が、0,1,3,4,5,5,7,7である。従って、coded_dataに対するtarget_dataの値をcoded_dataの0から順に表すcoded_data-target_data変換テーブルは、0,1,1,2,3,5,5となる。よって、図１の階段関数を用いた場合、例えばcoded_data＝5はtarget_data＝3に変換される。
【０１０１】
tone_map_model_id＝2のtone_mapping_infoは、STD-HDR変換用またはHDR-STD変換用のtone mapping定義情報として用いられる。tone_map_model_id＝2のtone_mapping_infoは、データ量が多いことから、その作成時にcoded_data-target_data変換テーブルへの畳み込みを行う必要があるが、変換処理の負荷は軽い。
【０１０２】
図７の１８〜２３行目がtone_map_model_id＝3に関する記述である。tone_map_model_id＝3である場合、折れ線関数を表す、num_pivotsにより指定される数のcoded_pivot_value[i]とtarget_pivot_value[i]が記述される。coded_pivot_value[i]は、i番目のpivotのcoded_dataを表し、target_pivot_value[i]は、i番目のpivotのtarget_dataを表す。
【０１０３】
coded_pivot_value[i]とtarget_pivot_value[i]のビット数は、６行目のcoded_data_bit_depthによって決まる可変値であってもよいし、固定値(例えば、256ビット)であってもよい。可変値の場合、固定値の場合に比べてビット数を削減することができる。
【０１０４】
図１１は、tone_map_model_id＝3のtone_mapping_infoにより示される折れ線関数の例を示す図である。
【０１０５】
図１１の例では、1番目のpivotのcoded_pivot_value[1]がD11であり、target_pivot_value[1]がD11’である。また、3番目のpivotのcoded_pivot_value[3]がD12であり、target_pivot_value[3]がD12’である。従って、図１１の折れ線関数を用いた場合、例えばcoded_data＝D11はtarget_data＝D11’に変換され、coded_data＝D12はtarget_data＝D12’に変換される。tone_map_model_id＝3のtone_mapping_infoは、STD-HDR変換用またはHDR-STD変換用のtone mapping定義情報として用いられる。
【０１０６】
このように、tone_map_model_idとして0,2,3のいずれかの値が設定されたtone_mapping_infoが、STD-HDR変換用またはHDR-STD変換用のtone mapping定義情報として用いられ、記録装置１から再生装置２に伝送される。
【０１０７】
図７の２４〜３９行目がtone_map_model_id＝4に関する記述である。tone_map_model_id＝4に関する情報のうち、ref_screen_luminance_white、extended_range_white_level、nominal_black_level_code_value、nominal_white_level_code_value、およびextended_white_level_code_valueが、HDR情報を構成するパラメータとなる。
【０１０８】
図１２は、HDR情報に含まれる各情報の例を示す図である。
【０１０９】
図１２の横軸は輝度値を示す。ビット長が10bitである場合、輝度値は0-1023の値となる。図１２の縦軸は明るさを示す。曲線Ｌ１１が、標準の輝度のモニタにおける輝度値と明るさの関係を示す。標準の輝度のモニタのダイナミックレンジは0-100％である。
【０１１０】
ref_screen_luminance_whiteは、標準となるモニタの明るさ（cd/m2）を示す。extended_range_white_levelは、拡張後のダイナミックレンジの明るさを示す。図１２の例の場合、extended_range_white_levelの値として400が設定される。
【０１１１】
nominal_black_level_code_valueは、黒（明るさ0％）の輝度値を示し、nominal_white_level_code_valueは、標準の輝度のモニタにおける白（明るさ100％）の輝度値を示す。extended_white_level_code_valueは、拡張後のダイナミックレンジにおける白の輝度値を示す。
【０１１２】
図１２の例の場合、白抜き矢印＃１６１で示すように、0-100％のダイナミックレンジは、extended_range_white_levelの値に従って、0-400％のダイナミックレンジに拡張される。また、400％の明るさに相当する輝度値が、extended_white_level_code_valueにより指定される。
【０１１３】
HDRデータの輝度の特性は、nominal_black_level_code_value、nominal_white_level_code_value、extended_white_level_code_valueの値がそれぞれ明るさ0％、100％、400％をとる曲線Ｌ１２により示される特性となる。
【０１１４】
このように、tone_map_model_idとして４の値が設定されたtone_mapping_infoにより、マスターのHDRデータの輝度の特性が示され、記録装置１から再生装置２に伝送される。
【０１１５】
（User data unregistered SEI messageについて）
図１３は、クローズドキャプションが配置されるUser data unregistered SEI messageのシンタクスを示す図である。
【０１１６】
３行目のtyp_indicatorは、User data unregistered SEI messageに配置されるデータの内容を識別する情報である。クローズドキャプションが配置される場合、typ_indicatorは、クローズドキャプションを表す0x47413934である。
【０１１７】
また、typ_indicatorがクローズドキャプションを表す0x47413934である場合、４〜１１行目に示すように、クローズドキャプションのtone_mapping_infoに関する情報とクローズドキャプションが記述される。
【０１１８】
具体的には、５行目のnumber_of_tone_mapping_info_refは、クローズドキャプションのtone_mapping_infoの数である。８行目のtone_mapping_info_refは、クローズドキャプションの各tone_mapping_infoのtone_map_idである。１０行目のcc_dataは、１ピクチャ分のクローズドキャプションである。cc_dataは、Digital Television(DTV) Closed CaptioningやLine 21 Data Services等に準拠したデータである。
【０１１９】
ここで、BD-ROMフォーマットについて説明する。
【０１２０】
（BD-ROMフォーマットにおけるAVストリームの管理構造）
図１４は、BD-ROMフォーマットにおけるAVストリームの管理構造の例を示す図である。
【０１２１】
ビデオストリームを含むAVストリームの管理は、PlayListとClipの２つのレイヤを用いて行われる。AVストリームは、光ディスク１１だけでなく、再生装置２のローカルストレージに記録されることもある。
【０１２２】
１つのAVストリームと、それに付随する情報であるClip Informationのペアが１つのオブジェクトとして管理される。AVストリームとClip InformationのペアをClipという。
【０１２３】
AVストリームは時間軸上に展開され、各Clipのアクセスポイントは、主に、タイムスタンプでPlayListにおいて指定される。Clip Informationは、AVストリーム中のデコードを開始すべきアドレスを見つけるためなどに使用される。
【０１２４】
PlayListはAVストリームの再生区間の集まりである。AVストリーム中の１つの再生区間はPlayItemと呼ばれる。PlayItemは、時間軸上の再生区間のIN点とOUT点のペアで表される。図１４に示すように、PlayListは１つまたは複数のPlayItemにより構成される。
【０１２５】
図１４の左から１番目のPlayListは２つのPlayItemから構成され、その２つのPlayItemにより、左側のClipに含まれるAVストリームの前半部分と後半部分がそれぞれ参照される。
【０１２６】
左から２番目のPlayListは１つのPlayItemから構成され、それにより、右側のClipに含まれるAVストリーム全体が参照される。
【０１２７】
左から３番目のPlayListは２つのPlayItemから構成され、その２つのPlayItemにより、左側のClipに含まれるAVストリームのある部分と、右側のClipに含まれるAVストリームのある部分がそれぞれ参照される。
【０１２８】
例えば、左から１番目のPlayListに含まれる左側のPlayItemが再生対象としてディスクナビゲーションプログラムにより指定された場合、そのPlayItemが参照する、左側のClipに含まれるAVストリームの前半部分の再生が行われる。このように、PlayListは、AVストリームの再生を管理するための再生管理情報として用いられる。
【０１２９】
PlayListの中で、１つ以上のPlayItemの並びによって作られる再生パスをメインパス(Main Path)という。また、PlayListの中で、Main Pathに並行して、１つ以上のSubPlayItemの並びによって作られる再生パスをサブパス（Sub Path）という。
【０１３０】
（Main PathとSub Pathの構造）
図１５は、Main PathとSub Pathの構造を示す図である。
【０１３１】
PlayListは、１つのMain Pathと１つ以上のSub Pathを持つ。図１５のPlayListは、３つのPlayItemの並びにより作られる１つのMain Pathと３つのSub Pathを有する。
【０１３２】
Main Pathを構成するPlayItemには、先頭から順番にそれぞれIDが設定される。Sub Pathにも、先頭から順番にSubpath_id=0、Subpath_id=1、およびSubpath_id=2のIDが設定される。
【０１３３】
図１５の例においては、Subpath_id=0のSub Pathには１つのSubPlayItemが含まれ、Subpath_id=1のSub Pathには２つのSubPlayItemが含まれる。また、Subpath_id=2のSub Pathには１つのSubPlayItemが含まれる。
【０１３４】
１つのPlayItemが参照するAVストリームには、少なくとも主映像のビデオストリームが含まれる。AVストリームには、AVストリームに含まれる主映像のビデオストリームと同じタイミングで（同期して）再生されるオーディオストリームが１つ以上含まれてもよいし、含まれなくてもよい。
【０１３５】
AVストリームには、AVストリームに含まれる主映像のビデオストリームと同期して再生される副映像のビデオストリームが１つ以上含まれてもよいし、含まれなくてもよい。
【０１３６】
AVストリームには、AVストリームに含まれる主映像のビデオストリームと同期して再生されるビットマップの字幕データ（PG(Presentation Graphic)）のストリームであるPGストリームが１つ以上含まれてもよいし、含まれなくてもよい。
【０１３７】
AVストリームには、AVストリームに含まれる主映像のビデオストリームと同期して再生される字幕のテキストデータ（Text-ST）のストリームであるText-STストリームが１つ以上含まれてもよいし、含まれなくてもよい。
【０１３８】
AVストリームには、AVストリームに含まれる主映像のビデオストリームと同期して再生されるメニューボタンの画像データ（IG(Interactive Graphic)）のストリームであるIGストリームが１つ以上含まれてもよいし、含まれなくてもよい。
【０１３９】
１つのPlayItemが参照するAVストリームには、主映像のビデオストリームと、それと同期して再生されるオーディオストリーム、副映像のビデオストリーム、PGストリーム、Text-STストリーム、およびIGストリームが多重化される。
【０１４０】
また、１つのSubPlayItemは、PlayItemが参照するAVストリームとは異なる、ビデオストリーム、オーディオストリーム、PGストリーム、Text-STストリーム、IGストリームなどを参照する。
【０１４１】
このように、AVストリームの再生はPlayListとClip Informationを用いて行われる。AVストリームの再生に関する情報を含むPlayListとClip Informationを、適宜、Data Base情報という。
【０１４２】
（光ディスク１１のファイルの管理構造）
図１６は、光ディスク１１に記録されるファイルの管理構造の例を示す図である。
【０１４３】
光ディスク１１に記録される各ファイルはディレクトリ構造により階層的に管理される。光ディスク１１上には１つのrootディレクトリが作成される。
【０１４４】
rootディレクトリの下にはBDMVディレクトリが置かれる。
【０１４５】
BDMVディレクトリの下には、「Index.bdmv」の名前が設定されたファイルであるIndexファイルと、「MovieObject.bdmv」の名前が設定されたファイルであるMovieObjectファイルが格納される。
【０１４６】
Indexファイルには、例えば、光ディスク１１に記録されているタイトルの番号の一覧と、そのタイトルの番号に対応して実行されるオブジェクトの種類および番号が記述される。オブジェクトの種類としては、ムービーオブジェクト（Movie Object）とBDJオブジェクト（BDJ Object）の２種類がある。
【０１４７】
ムービーオブジェクトとは、プレイリストの再生等のナビゲーションコマンドが記述されるオブジェクトである。BDJオブジェクトとは、BDJアプリケーションが記述されるオブジェクトである。MovieObjectファイルには、ムービーオブジェクトが記述される。
【０１４８】
BDMVディレクトリの下には、PLAYLISTディレクトリ、CLIPINFディレクトリ、STREAMディレクトリ、BDJOディレクトリ等が設けられる。
【０１４９】
PLAYLISTディレクトリには、PlayListを記述したPlayListファイルが格納される。各PlayListファイルには、５桁の数字と拡張子「.mpls」を組み合わせた名前が設定される。図１６に示す１つのPlayListファイルには「00000.mpls」のファイル名が設定されている。
【０１５０】
CLIPINFディレクトリには、Clip Informationを記述したClip Informationファイルが格納される。各Clip Informationファイルには、５桁の数字と拡張子「.clpi」を組み合わせた名前が設定される。図１６の３つのClip Informationファイルには、それぞれ、「00001.clpi」、「00002.clpi」、「00003.clpi」のファイル名が設定されている。
【０１５１】
STREAMディレクトリにはストリームファイルが格納される。各ストリームファイルには、５桁の数字と拡張子「.m2ts」を組み合わせた名前が設定される。図１６の３つのストリームファイルには、それぞれ、「00001.m2ts」、「00002.m2ts」、「00003.m2ts」のファイル名が設定されている。
【０１５２】
同じ５桁の数字がファイル名に設定されているClip Informationファイルとストリームファイルが１つのClipを構成するファイルとなる。「00001.m2ts」のストリームファイルの再生時には「00001.clpi」のClip Informationファイルが用いられ、「00002.m2ts」のストリームファイルの再生時には「00002.clpi」のClip Informationファイルが用いられる。
【０１５３】
BDJOディレクトリには、BDJオブジェクトが記述されるBDJオブジェクトファイルが格納される。各BDJオブジェクトファイルには、５桁の数字と拡張子「.bdjo」を組み合わせた名前が設定される。図１６の３つのストリームファイルには、それぞれ、「00001.bdjo」、「00002.bdjo」、「00003.bdjo」のファイル名が設定されている。
【０１５４】
ここで、各ファイルのシンタクスの主な記述について説明する。
【０１５５】
（PlayListファイルのシンタクス）
図１７は、PlayListファイルのPlayItemのSTN_tableのシンタクスを示す図である。
【０１５６】
STN_tableには、PlayItemが参照するAVストリームの情報が含まれる。PlayItemと関連付けて再生されるSub Pathがある場合、そのSub Pathを構成するSubPlayItemが参照するAVストリームの情報も含まれる。
【０１５７】
４行目のnumber_of_primary_video_stream_entriesは、STN_tableにエントリされる（登録される）主映像のビデオストリームの数を表す。１１行目のprimary_video_tone_mapping_flagは、主映像とtone_mapping_infoを対応付けるかどうかを表す。
【０１５８】
３３行目に示すように、primary_video_tone_mapping_flagが１である場合、STN_tableには、主映像のtone_mapping_infoの数を表すnumber_of_tone_mapping_info_refが記述される。
【０１５９】
また、３４〜３７行目に示すように、primary_video_tone_mapping_flagが１である場合、STN_tableには、主映像のtone_mapping_infoのtone_map_idを表すtone_mapping_info_refが記述される。
【０１６０】
以上のように、STN_tableでは、ビデオと、そのビデオのtone_mapping_infoが対応付けられる。従って、再生装置２は、このSTN_tableに基づいて、ビデオストリームのSEIに挿入されているtone_mapping_infoの中からビデオのtone_mapping_infoを選択し、そのビデオの再生時に用いることができる。
【０１６１】
ここで、各装置の構成について説明する。
【０１６２】
（記録装置１の構成例）
図１８は、記録装置１の構成例を示すブロック図である。
【０１６３】
記録装置１は、コントローラ２１、符号化処理部２２、およびディスクドライブ２３から構成される。マスターのHDRデータが符号化処理部２２に入力される。
【０１６４】
コントローラ２１は、CPU(Central Processing Unit)、ROM(Read Only Memory)、RAM(Random Access Memory)などより構成される。コントローラ２１は、所定のプログラムを実行し、記録装置１の全体の動作を制御する。
【０１６５】
コントローラ２１においては、所定のプログラムが実行されることによってData Base情報生成部２１Ａが実現される。Data Base情報生成部２１Ａは、符号化処理部２２から供給されるビデオのtone_mapping_infoの数をPlayListのSTN_table（図１７）の主映像のnumber_of_tone_mapping_info_refとして記述し、tone_map_idをtone_mapping_info_refとして記述する。Data Base情報生成部２１Ａは、このようにして各種の情報を記述することによりData Base情報であるPlayListとClip Informationを生成し、ディスクドライブ２３に出力する。
【０１６６】
符号化処理部２２は、マスターのHDRデータの符号化を行う。符号化処理部２２は、マスターのHDRデータを符号化して得られたビデオストリームをディスクドライブ２３に出力する。また、符号化処理部２２は、ビデオのtone_mapping_infoの数およびtone_map_idをコントローラ２１に供給する。
【０１６７】
ディスクドライブ２３は、コントローラ２１から供給されたData Base情報と、符号化処理部２２から供給されたビデオストリームを格納するファイルを、図１６のディレクトリ構造に従って光ディスク１１に記録する。
【０１６８】
（符号化処理部２２の構成例）
図１９は、図１８の符号化処理部２２の構成例を示すブロック図である。
【０１６９】
符号化処理部２２は、HDR情報生成部３１、HEVCエンコーダ３２、HDR-STD変換部３３、定義情報生成部３４、およびストリーム生成部３５から構成される。
【０１７０】
HDR情報生成部３１は、入力されたマスターのHDRデータの輝度を検出し、図１２を参照して説明した各情報を含むHDR情報を生成する。HDR情報生成部３１は、生成したHDR情報をストリーム生成部３５に出力する。
【０１７１】
HEVCエンコーダ３２は、記録モードがmode-iである場合、入力されたマスターのHDRビデオをHEVC方式で符号化する。また、HEVCエンコーダ３２は、記録モードがmode-iiである場合、HDR-STD変換部３３から供給されたSTDビデオをHEVC方式で符号化する。HEVCエンコーダ３２は、HDRビデオの符号化データ、またはSTDビデオの符号化データをストリーム生成部３５に出力する。
【０１７２】
HDR-STD変換部３３は、入力されたマスターのHDRデータをSTDデータに変換する。HDR-STD変換部３３による変換は、適宜、オーサーにより入力された変換パラメータに従って行われる。HDR-STD変換部３３は、HDRデータのRGB信号をinput data、STDデータのRGB信号をoutput dataとしたinput dataとoutput dataの対応関係を示す情報を定義情報生成部３４に出力する。
【０１７３】
（HDR-STD変換部３３による信号処理について）
図２０は、HDR-STD変換部３３による信号処理の例を示す図である。
【０１７４】
HDR-STD変換部３３は、矢印＃２０１の先に示すように、入力されたマスターのHDRデータのYCrCb信号をRGB信号に変換し、RGBの各信号を対象として、STDデータのRGBの各信号への変換（tone mapping）を行う。
【０１７５】
HDR-STD変換部３３は、input dataであるHDRデータのRGB信号とoutput dataであるSTDデータのRGB信号の対応関係を示す情報を定義情報生成部３４に出力する。定義情報生成部３４に出力された情報は、矢印＃２０２の先に示すようにtone mapping定義情報の生成に用いられる。
【０１７６】
また、HDR-STD変換部３３は、矢印＃２０３の先に示すように、STDデータのRGB信号をYCrCb信号に変換し、出力する。
【０１７７】
図２１は、tone mappingの例を示す図である。
【０１７８】
HDRデータのRGB信号は、例えば図２１に示すように、高輝度成分を圧縮し、中・低域輝度成分を伸張するようにしてSTDデータのRGB信号に変換される。図２１に示すようなHDRデータのRGB信号とSTDデータのRGB信号を対応付ける関数Ｆを示す情報が、定義情報生成部３４により生成される。なお、図２１に示す関数Ｆを示す情報により生成されるtone mapping定義情報は、図１１を参照して説明した、coded_dataとtarget_dataの関係を折れ線関数により示すtone_map_model_id＝3のtone_mapping_infoである。
【０１７９】
図１９の説明に戻り、また、HDR-STD変換部３３は、記録モードがmode-iiである場合、HDRビデオを変換して得られたSTDビデオをHEVCエンコーダ３２に出力し、HDRクローズドキャプションを変換して得られたSTDクローズドキャプションをストリーム生成部３５に供給する。
【０１８０】
定義情報生成部３４は、HDR-STD変換部３３から供給された情報に基づいて、HDR-STD変換用のtone mapping定義情報を生成する。
【０１８１】
例えば、定義情報生成部３４は、tone_map_model_id＝0が用いられる場合、図９のmin_valueとmax_valueの値を含むtone_mapping_infoをHDR-STD変換用のtone mapping定義情報として生成する。
【０１８２】
また、定義情報生成部３４は、tone_map_model_id＝2が用いられる場合、図１０のmax_target_dataの数のstart_of_coded_interval[i]を含むtone_mapping_infoをHDR-STD変換用のtone mapping定義情報として生成する。
【０１８３】
さらに、定義情報生成部３４は、tone_map_model_id＝3が用いられる場合、図１１のnum_pivotsにより指定される数のcoded_pivot_value[i]とtarget_pivot_value[i]を含むtone_mapping_infoをHDR-STD変換用のtone mapping定義情報として生成する。
【０１８４】
ストリーム生成部３５は、HDR情報生成部３１から供給されたビデオのHDR情報を含むtone_mapping_infoと、定義情報生成部３４から供給されたビデオのtone mapping定義情報であるtone_mapping_infoの数を図１８のコントローラ２１に供給する。また、ストリーム生成部３５は、それらのtone_mapping_infoのtone_map_idをコントローラ２１に供給する。
【０１８５】
ストリーム生成部３５は、ビデオとクローズドキャプションのtone_mapping_infoをTone mapping information SEI messageとして符号化データに挿入する。また、ストリーム生成部３５は、記録モードがmode-iである場合、入力されたマスターのHDRクローズドキャプション、並びに、クローズドキャプションのtone_mapping_infoの数およびtone_map_idを、User data unregistered SEI messageとして符号化データに挿入する。一方、ストリーム生成部３５は、記録モードがmode-iiである場合、HDR-STD変換部３３から供給されたSTDクローズドキャプション、並びに、クローズドキャプションのtone_mapping_infoの数およびtone_map_idを、User data unregistered SEI messageとして符号化データに挿入する。
【０１８６】
以上のようにしてTone mapping information SEI messageとUser data unregistered SEI messageが符号化データに挿入されることにより、ビデオストリームが生成される。ストリーム生成部３５は、ビデオストリームを図１８のディスクドライブ２３に出力する。
【０１８７】
（再生装置２の構成例）
図２２は、再生装置２の構成例を示すブロック図である。
【０１８８】
再生装置２は、コントローラ５１、ディスクドライブ５２、メモリ５３、ローカルストレージ５４、ネットワークインタフェース５５、復号処理部５６、操作入力部５７、およびHDMI通信部５８から構成される。
【０１８９】
コントローラ５１は、CPU、ROM、RAMなどより構成される。コントローラ５１は、所定のプログラムを実行し、再生装置２の全体の動作を制御する。例えば、コントローラ５１は、ディスクドライブ５２から供給されるPlayListに記述されているビデオのtone_mapping_info_refを、復号処理部５６に供給する。
【０１９０】
ディスクドライブ５２は、読み出し部として機能し、光ディスク１１からデータを読み出して、読み出したデータを、コントローラ５１、メモリ５３、または復号処理部５６に出力する。例えば、ディスクドライブ５２は、光ディスク１１から読み出したData Base情報をコントローラ５１に出力し、ビデオストリーム等を復号処理部５６に出力する。
【０１９１】
メモリ５３は、コントローラ５１が各種の処理を実行する上において必要なデータなどを記憶する。メモリ５３には、PSR(Player Status Register)であるレジスタ５３Ａが形成される。レジスタ５３Ａには、BD Playerである再生装置２が光ディスク１１の再生時に参照する各種の情報が記憶される。
【０１９２】
ローカルストレージ５４は例えばHDD(Hard Disk Drive)により構成される。ローカルストレージ５４には、サーバからダウンロードされたデータなどが記録される。
【０１９３】
ネットワークインタフェース５５は、インターネットなどのネットワークを介してサーバと通信を行い、サーバからダウンロードしたデータをローカルストレージ５４に供給する。
【０１９４】
復号処理部５６は、ディスクドライブ５２から供給されたビデオストリームのSEIから、HDR情報を含むtone_mapping_infoと、tone mapping定義情報であるtone_mapping_infoを抽出する。また、復号処理部５６は、ビデオストリームのSEIから、HDRクローズドキャプションまたはSTDクローズドキャプション、および、tone_mapping_info_refを抽出する。
【０１９５】
復号処理部５６は、ビデオストリームに含まれる符号化データをHEVC方式で復号する。復号処理部５６は、コントローラ５１から供給されるビデオのtone_mapping_info_refに基づいて、ビデオのtone_mapping_infoを選択する。復号処理部５６は、必要に応じて、復号の結果得られるHDRビデオまたはSTDビデオを、選択されたtone_mapping_infoであるtone mapping定義情報を参照してSTDビデオまたはHDRビデオに変換し、HDMI通信部５８に出力する。復号処理部５６は、HDRビデオを出力する場合、HDRビデオとともに、選択されたtone_mapping_infoに含まれるHDR情報をHDMI通信部５８に出力する。
【０１９６】
復号処理部５６は、SEIから抽出されたtone_mapping_info_refに基づいて、復号処理部５６から供給されるtone_mapping_infoを選択する。復号処理部５６は、必要に応じて、HDRクローズドキャプションまたはSTDクローズドキャプションを、選択されたtone_mapping_infoであるtone mapping定義情報を参照してSTDクローズドキャプションまたはHDRクローズドキャプションに変換し、HDMI通信部５８に出力する。復号処理部５６は、HDRクローズドキャプションを出力する場合、HDRクローズドキャプションとともに、選択されたtone_mapping_infoに含まれるHDR情報をHDMI通信部５８に出力する。
【０１９７】
操作入力部５７は、ボタン、キー、タッチパネルなどの入力デバイスや、所定のリモートコマンダから送信される赤外線などの信号を受信する受信部により構成される。操作入力部５７はユーザの操作を検出し、検出した操作の内容を表す信号をコントローラ５１に供給する。
【０１９８】
HDMI通信部５８は、HDMIケーブル４を介して表示装置３との間で通信を行う。例えば、HDMI通信部５８は、表示装置３が有するモニタの性能に関する情報を取得し、コントローラ５１に出力する。また、HDMI通信部５８は、復号処理部５６から供給されたHDRデータまたはSTDデータを表示装置３に出力する。HDMI通信部５８は、復号処理部５６から供給されるHDR情報を表示装置３に出力する。
【０１９９】
（復号処理部５６の構成例）
図２３は、図２２の復号処理部５６の構成例を示すブロック図である。
【０２００】
復号処理部５６は、パラメータ抽出部７１、HEVCデコーダ７２、HDR-STD変換部７３、STD-HDR変換部７４、および出力部７５から構成される。出力部７５は、HDRデータ出力部７５ＡとSTDデータ出力部７５Ｂから構成される。
【０２０１】
ディスクドライブ５２により読み出されたビデオストリームはパラメータ抽出部７１に入力される。復号処理部５６に対しては、例えば、Clip Informationに含まれるmode_flagが表す記録モードと、表示装置３から取得された表示装置３が有するモニタの性能を表すEDID(Extended display identification data)とが、コントローラ５１から供給される。また、復号処理部５６に対しては、例えば、PlayListに記述されているビデオのtone_mapping_info_refがコントローラ５１から供給される。
【０２０２】
パラメータ抽出部７１は、ビデオストリームのSEIから、HDR情報、tone mapping定義情報、HDRクローズドキャプションまたはSTDクローズドキャプション、および、クローズドキャプションのtone_mapping_info_refを抽出する。パラメータ抽出部７１は、記録モードがmode-iであり、表示装置３にHDRデータを出力する場合、ビデオおよびクローズドキャプションのtone_mapping_info_refで特定されるtone_mapping_infoに含まれるHDR情報をHDRデータ出力部７５Ａに出力する。また、パラメータ抽出部７１は、記録モードがmode-iであり、表示装置３にSTDデータを出力する場合、ビデオおよびクローズドキャプションのtone_mapping_info_refで特定されるHDR-STD変換用のtone mapping定義情報をHDR-STD変換部７３に出力する。
【０２０３】
一方、パラメータ抽出部７１は、記録モードがmode-iiであり、表示装置３にHDRデータを出力する場合、ビデオおよびクローズドキャプションのtone_mapping_info_refで特定されるtone_mapping_infoに含まれるHDR情報をHDRデータ出力部７５Ａに出力する。また、この場合、パラメータ抽出部７１は、ビデオおよびクローズドキャプションのtone_mapping_info_refで特定されるSTD-HDR変換用のtone mapping定義情報をSTD-HDR変換部７４に出力する。記録モードがmode-iiであり、表示装置３にSTDデータを出力する場合、抽出されたHDR情報とtone mapping定義情報は用いられない。
【０２０４】
また、パラメータ抽出部７１は、ビデオストリームに含まれる符号化データをHEVCデコーダ７２に出力する。パラメータ抽出部７１は、HDRクローズドキャプションをHDR-STD変換部７３とHDRデータ出力部７５Ａに供給する。また、パラメータ抽出部７１は、STDクローズドキャプションをSTD-HDR変換部７４とSTDデータ出力部７５Ｂに供給する。
【０２０５】
HEVCデコーダ７２は、パラメータ抽出部７１から供給されたHEVC方式の符号化データを復号する。HEVCデコーダ７２は、記録モードがmode-iである場合、復号して得られたHDRビデオをHDR-STD変換部７３とHDRデータ出力部７５Ａに出力する。また、HEVCデコーダ７２は、記録モードがmode-iiである場合、復号して得られたSTDビデオをSTD-HDR変換部７４とSTDデータ出力部７５Ｂに出力する。
【０２０６】
HDR-STD変換部７３は、HEVCデコーダ７２から供給されたHDRビデオとパラメータ抽出部７１から供給されるHDRクローズドキャプションを、パラメータ抽出部７１から供給されたHDR-STD変換用のtone mapping定義情報に基づいてSTDデータに変換する。HDR-STD変換部７３は、変換して得られたSTDデータをSTDデータ出力部７５Ｂに出力する。
【０２０７】
STD-HDR変換部７４は、HEVCデコーダ７２から供給されたSTDデータとパラメータ抽出部７１から供給されるSTDクローズドキャプションを、パラメータ抽出部７１から供給されたSTD-HDR変換用のtone mapping定義情報に基づいてHDRデータに変換する。STD-HDR変換部７４は、変換して得られたHDRデータをHDRデータ出力部７５Ａに出力する。
【０２０８】
出力部７５のHDRデータ出力部７５Ａは、表示装置３にHDRデータを出力する場合、HEVCデコーダ７２から供給されたHDRデータ、またはSTD-HDR変換部７４から供給されたHDRデータを、パラメータ抽出部７１から供給されたHDR情報とともに出力する。
【０２０９】
STDデータ出力部７５Ｂは、表示装置３にSTDデータを出力する場合、HEVCデコーダ７２から供給されたSTDデータ、またはHDR-STD変換部７３から供給されたSTDデータを出力する。
【０２１０】
HDRデータ出力部７５ＡとSTDデータ出力部７５Ｂから出力されたデータは、HDMI通信部５８により、表示装置３に送信される。
【０２１１】
（表示装置３の構成例）
図２４は、表示装置３の構成例を示すブロック図である。
【０２１２】
表示装置３は、コントローラ１０１、HDMI通信部１０２、信号処理部１０３、およびモニタ１０４から構成される。コントローラ１０１はメモリ１０１Ａを有する。
【０２１３】
コントローラ１０１は、CPU、ROM、RAMなどより構成される。コントローラ１０１は、所定のプログラムを実行し、表示装置３の全体の動作を制御する。
【０２１４】
例えば、コントローラ１０１は、モニタ１０４の性能を表すEDIDをメモリ１０１Ａに記憶させて管理する。コントローラ１０１は、再生装置２との認証時、メモリ１０１Ａに記憶させているEDIDをHDMI通信部１０２に出力し、再生装置２に対して送信させる。EDIDに基づいて、表示装置３のモニタ１０４の性能が再生装置２により特定される。
【０２１５】
HDMI通信部１０２は、HDMIケーブル４を介して再生装置２との間で通信を行う。HDMI通信部１０２は、再生装置２から送信されてきたHDRデータとHDR情報、または、STDデータを受信し、信号処理部１０３に出力する。また、HDMI通信部１０２は、コントローラ１０１から供給されたEDIDを再生装置２に送信する。
【０２１６】
信号処理部１０３は、HDMI通信部１０２から供給されたHDR情報に基づいてHDRデータの映像をモニタ１０４に表示させる。また、信号処理部１０３は、HDMI通信部１０２から供給されたSTDデータの映像をモニタ１０４に表示させる。
【０２１７】
ここで、以上のような構成を有する各装置の動作について説明する。
【０２１８】
（記録処理の説明）
はじめに、図２５のフローチャートを参照して、記録装置１の記録処理について説明する。図２５の記録処理は、マスターのHDRデータが記録装置１に入力されたときに開始される。
【０２１９】
ステップＳ１において、記録装置１のコントローラ２１は、記録モードがmode-iであるか否かを判定する。記録モードは例えばオーサーにより設定される。
【０２２０】
記録モードがmode-iであるとステップＳ１において判定された場合、ステップＳ２において、符号化処理部２２はmode-iでの符号化処理を行う。mode-iでの符号化処理により生成されたビデオストリームはディスクドライブ２３に供給される。
【０２２１】
一方、記録モードがmode-iiであるとステップＳ１において判定された場合、ステップＳ３において、符号化処理部２２はmode-iiでの符号化処理を行う。mode-iiでの符号化処理により生成されたビデオストリームはディスクドライブ２３に供給される。
【０２２２】
ステップＳ４において、Data Base情報生成部２１Ａは、ストリーム生成部３５から供給されるビデオのtone_mapping_infoの数とtone_map_idを含むPlayListとmode_flagを含むClip InformationとからなるData Base情報を生成する。Data Base情報はディスクドライブ２３に供給される。
【０２２３】
ステップＳ５において、ディスクドライブ２３は、ビデオストリームとData Base情報を格納するファイルを光ディスク１１に記録する。その後、処理は終了する。
【０２２４】
次に、図２６のフローチャートを参照して、図２５のステップＳ２において行われるmode-iでの符号化処理について説明する。
【０２２５】
ステップＳ１１において、符号化処理部２２のHDR情報生成部３１は、マスターのHDRデータの輝度を検出し、HDR情報を生成する。
【０２２６】
ステップＳ１２において、HEVCエンコーダ３２は、マスターのHDRビデオをHEVC方式で符号化し、HDRビデオの符号化データを生成する。
【０２２７】
ステップＳ１３において、HDR-STD変換部３３は、入力されたマスターのHDRデータをSTDデータに変換する。HDRデータのRGB信号をinput data、STDデータのRGB信号をoutput dataとしたinput dataとoutput dataの対応関係を示す情報は定義情報生成部３４に供給される。
【０２２８】
ステップＳ１４において、定義情報生成部３４は、HDR-STD変換部３３から供給された情報に基づいてHDR-STD変換用のtone mapping定義情報を生成する。
【０２２９】
ステップＳ１５において、ストリーム生成部３５は、符号化データのTone mapping information SEI messageとして、HDR情報を含むtone_mapping_infoとtone mapping定義情報であるtone_mapping_infoを符号化データに挿入する。また、ストリーム生成部３５は、符号化データのUser data unregistered SEI messageとして、マスターのHDRクローズドキャプションと、HDRクローズドキャプションのtone_mapping_infoの数およびtone_map_idとを符号化データに挿入する。これにより、ビデオストリームが生成される。
【０２３０】
また、ストリーム生成部３５は、ビデオのHDR情報を含むtone_mapping_infoとtone mapping定義情報であるtone_mapping_infoの数、および、それらのtone_mapping_infoのtone_map_idをコントローラ２１に供給する。その後、図２５のステップＳ２に戻り、それ以降の処理が行われる。
【０２３１】
次に、図２７のフローチャートを参照して、図２５のステップＳ３において行われるmode-iiでの符号化処理について説明する。
【０２３２】
ステップＳ２１において、符号化処理部２２のHDR情報生成部３１は、マスターのHDRデータの輝度を検出し、HDR情報を生成する。
【０２３３】
ステップＳ２２において、HDR-STD変換部３３は、入力されたマスターのHDRデータをSTDデータに変換する。HDRデータのRGB信号をinput data、STDデータのRGB信号をoutput dataとしたinput dataとoutput dataの対応関係を示す情報は定義情報生成部３４に供給される。
【０２３４】
ステップＳ２３において、定義情報生成部３４は、HDR-STD変換部３３から供給された情報に基づいてSTD-HDR変換用のtone mapping定義情報を生成する。
【０２３５】
ステップＳ２４において、HEVCエンコーダ３２は、マスターのHDRビデオを変換して得られたSTDビデオをHEVC方式で符号化し、STDビデオの符号化データを生成する。
【０２３６】
ステップＳ２５において、ストリーム生成部３５は、符号化データのTone mapping information SEI messageとして、HDR情報を含むtone_mapping_infoとtone mapping定義情報であるtone_mapping_infoを挿入する。また、ストリーム生成部３５は、符号化データのUser data unregistered SEI messageとして、STDクローズドキャプションと、STDクローズドキャプションのtone_mapping_infoの数およびtone_map_idとを符号化データに挿入する。これにより、ビデオストリームが生成される。その後、図２５のステップＳ３に戻り、それ以降の処理が行われる。
【０２３７】
（再生処理の説明）
次に、図２８のフローチャートを参照して、再生装置２の再生処理について説明する。
【０２３８】
光ディスク１１の再生を開始する前などの所定のタイミングにおいて、再生装置２のコントローラ５１は、HDMI通信部５８を制御して表示装置３と通信を行い、表示装置３のメモリ１０１ＡからEDIDを読み出す。コントローラ５１は、EDIDをレジスタ５３Ａに記憶させて管理する。
【０２３９】
ステップＳ４１において、コントローラ５１は、ディスクドライブ５２を制御し、Data Base情報であるPlayListとClip Informationを光ディスク１１から読み出す。また、コントローラ５１は、再生するビデオストリームをPlayListに含まれる情報に基づいて特定し、特定したビデオストリームを、ディスクドライブ５２を制御して光ディスク１１から読み出す。
【０２４０】
ステップＳ４２において、コントローラ５１は、Clip Informationに含まれるmode_flagを参照する。
【０２４１】
ステップＳ４３において、コントローラ５１は、記録モードがmode-iであるか否かをmode_flagの値に基づいて判定する。
【０２４２】
記録モードがmode-iであるとステップＳ４３において判定された場合、ステップＳ４４において、復号処理部５６はmode-iでの復号処理を行う。
【０２４３】
一方、記録モードがmode-iiであるとステップＳ４３において判定された場合、ステップＳ４５において、復号処理部５６はmode-iiでの復号処理を行う。
【０２４４】
ステップＳ４４またはステップＳ４５において復号処理が行われた後、処理は終了する。
【０２４５】
次に、図２９のフローチャートを参照して、図２８のステップＳ４４において行われるmode-iでの復号処理について説明する。
【０２４６】
ステップＳ６１において、復号処理部５６のパラメータ抽出部７１は、ビデオストリームのSEIから、tone_mapping_info、HDRクローズドキャプション、およびHDRクローズドキャプションのtone_mapping_info_refを抽出する。パラメータ抽出部７１は、HDRクローズドキャプションをHDR-STD変換部７３とHDRデータ出力部７５Ａに供給する。また、パラメータ抽出部７１は、ビデオストリームからHDRビデオの符号化データを抽出し、HEVCデコーダ７２に供給する。
【０２４７】
ステップＳ６２において、HEVCデコーダ７２は、パラメータ抽出部７１から供給されるHDRビデオの符号化データをHEVC方式で復号し、HDRビデオを生成する。HEVCデコーダ７２は、HDRビデオをHDR-STD変換部７３とHDRデータ出力部７５Ａに供給する。
【０２４８】
ステップＳ６３において、コントローラ５１は、レジスタ５３Ａに記憶させておいたEDIDに基づいて、表示装置３が有するモニタがHDRモニタであるか否かを判定する。表示装置３が有するモニタがHDRモニタであるとステップＳ６３において判定された場合、処理はステップＳ６４に進む。
【０２４９】
ステップＳ６４において、パラメータ抽出部７１は、コントローラ５１から供給されるPlayListに記述されるビデオのtone_mapping_info_refをtone_map_idとして含み、HDR情報を含むtone_mapping_infoを、SEIから抽出されたtone_mapping_infoから選択する。また、パラメータ抽出部７１は、SEIから抽出されたHDRクローズドキャプションのtone_mapping_info_refをtone_map_idとして含み、HDR情報を含むtone_mapping_infoを、SEIから抽出されたtone_mapping_infoから選択する。パラメータ抽出部７１は、選択されたtone_mapping_infoに含まれるHDR情報をHDRデータ出力部７５Ａに供給する。
【０２５０】
ステップＳ６５において、HDRデータ出力部７５Ａは、HEVCデコーダ７２から供給されるHDRデータを、パラメータ抽出部７１から供給されるHDR情報とともに出力する。
【０２５１】
一方、表示装置３が有するモニタがHDRモニタではなく、STDモニタであるとステップＳ６３において判定された場合、処理はステップＳ６６に進む。
【０２５２】
ステップＳ６６において、パラメータ抽出部７１は、コントローラ５１から供給されるPlayListに記述されるビデオのtone_mapping_info_refをtone_map_idとして含むHDR-STD変換用のtone mapping定義情報であるtone_mapping_infoを、抽出されたtone_mapping_infoから選択する。また、パラメータ抽出部７１は、SEIから抽出されたクローズドキャプションのtone_mapping_info_refをtone_map_idとして含むHDR-STD変換用のtone mapping定義情報であるtone_mapping_infoを、抽出されたtone_mapping_infoから選択する。パラメータ抽出部７１は、選択されたtone_mapping_infoであるHDR-STD変換用のtone mapping定義情報をHDR-STD変換部７３に供給する。
【０２５３】
ステップＳ６７において、HDR-STD変換部７３は、パラメータ抽出部７１から供給されるHDR-STD変換用のtone mapping定義情報に基づいて、HDRデータをSTDデータに変換する。HDR-STD変換部７３は、STDデータをHDRデータ出力部７５Ａに供給する。
【０２５４】
ステップＳ６８において、STDデータ出力部７５Ｂは、HDR-STD変換部７３から供給されるSTDデータを出力する。
【０２５５】
ステップＳ６５においてHDRデータが出力された後、またはステップＳ６８においてSTDデータが出力された後、ステップＳ６９において、コントローラ５１は、再生終了か否かを判定する。
【０２５６】
再生終了ではないとステップＳ６９において判定した場合、コントローラ５１は、ステップＳ６１に戻り、以上の処理を繰り返し実行する。再生終了であるとステップＳ６９において判定された場合、図２８のステップＳ４４に戻り、処理は終了する。
【０２５７】
次に、図３０のフローチャートを参照して、図２８のステップＳ４５において行われるmode-iiでの復号処理について説明する。
【０２５８】
ステップＳ８１において、復号処理部５６のパラメータ抽出部７１は、ビデオストリームのSEIから、tone_mapping_info、STDクローズドキャプション、およびSTDクローズドキャプションのtone_mapping_info_refを抽出する。パラメータ抽出部７１は、STDクローズドキャプションをSTD-HDR変換部７４とSTDデータ出力部７５Ｂに供給する。また、パラメータ抽出部７１は、ビデオストリームからSTDビデオの符号化データを抽出し、HEVCデコーダ７２に供給する。
【０２５９】
ステップＳ８２において、HEVCデコーダ７２は、パラメータ抽出部７１から供給されるSTDビデオの符号化データをHEVC方式で復号し、STDビデオを生成する。HEVCデコーダ７２は、STDビデオをSTD-HDR変換部７４とSTDデータ出力部７５Ｂに供給する。
【０２６０】
ステップＳ８３において、コントローラ５１は、レジスタ５３Ａに記憶させておいたEDIDに基づいて、表示装置３が有するモニタがHDRモニタであるか否かを判定する。
【０２６１】
表示装置３が有するモニタがHDRモニタであるとステップＳ８３において判定された場合、処理はステップＳ８４に進む。
【０２６２】
ステップＳ８４において、パラメータ抽出部７１は、コントローラ５１から供給されるPlayListに記述されるビデオのtone_mapping_info_refをtone_map_idとして含むtone_mapping_infoを、SEIから抽出されたtone_mapping_infoから選択する。これにより、ビデオのHDR情報を含むtone_mapping_infoとSTD-HDR変換用のtone mapping定義情報であるtone_mapping_infoが選択される。
【０２６３】
また、パラメータ抽出部７１は、SEIから抽出されたクローズドキャプションのtone_mapping_info_refをtone_map_idとして含むtone_mapping_infoを、SEIから抽出されたtone_mapping_infoから選択する。これにより、クローズドキャプションのHDR情報を含むtone_mapping_infoとSTD-HDR変換用のtone mapping定義情報であるtone_mapping_infoが選択される。パラメータ抽出部７１は、選択されたtone_mapping_infoに含まれるHDR情報をHDRデータ出力部７５Ａに供給し、選択されたtone_mapping_infoであるSTD-HDR変換用のtone mapping定義情報をSTD-HDR変換部７４に供給する。
【０２６４】
ステップＳ８５において、STD-HDR変換部７４は、パラメータ抽出部７１から供給されるSTD-HDR変換用のtone mapping定義情報に基づいて、STDデータをHDRデータに変換し、HDRデータ出力部７５Ａに供給する。
【０２６５】
ステップＳ８６において、HDRデータ出力部７５Ａは、STD-HDR変換部７４から供給されるHDRデータを、パラメータ抽出部７１から供給されるHDR情報とともに出力する。
【０２６６】
一方、表示装置３が有するモニタがSTDモニタであるとステップＳ８３において判定された場合、処理はステップＳ８７に進む。ステップＳ８７において、STDデータ出力部７５Ｂは、HEVCデコーダ７２から供給されるSTDビデオとパラメータ抽出部７１から供給されるSTDクローズドキャプションを出力する。
【０２６７】
ステップＳ８６においてHDRデータが出力された後、またはステップＳ８７においてSTDデータが出力された後、ステップＳ８８において、コントローラ５１は、再生終了か否かを判定する。
【０２６８】
再生終了ではないとステップＳ８８において判定した場合、コントローラ５１は、ステップＳ８１に戻り、以上の処理を繰り返し実行する。再生終了であるとステップＳ８８において判定された場合、図２８のステップＳ４５に戻り、処理は終了する。
【０２６９】
（表示処理の説明）
次に、図３１のフローチャートを参照して、表示装置３の表示処理について説明する。
【０２７０】
ここでは、表示装置３が有するモニタ１０４がHDRモニタである場合について説明する。HDRモニタを有する表示装置３に対しては、HDR情報が付加されたHDRデータが再生装置２から送信されてくる。
【０２７１】
ステップＳ１０１において、表示装置３のHDMI通信部１０２は、再生装置２から送信されてきたHDRデータとHDR情報を受信する。
【０２７２】
ステップＳ１０２において、コントローラ１０１は、HDR情報を参照し、再生装置２から送信されてきたHDRデータをそのまま表示可能であるか否かを判定する。HDR情報には、マスターのHDRデータ、すなわち再生装置２から送信されてきたHDRデータの輝度の特性を示す情報が含まれる。ステップＳ１０２における判定は、HDR情報により特定されるHDRデータの輝度の特性と、モニタ１０４の表示性能を比較することによって行われる。
【０２７３】
例えば、HDR情報により特定されるHDRデータのダイナミックレンジが0-400％であり、モニタ１０４のダイナミックレンジが0-500％（例えば100％の明るさを100cd/m2とすると500cd/m2）である場合、HDRデータをそのまま表示可能であると判定される。一方、HDR情報により特定されるHDRデータのダイナミックレンジが0-400％であり、モニタ１０４のダイナミックレンジが0-300％である場合、HDRデータをそのまま表示することができないと判定される。
【０２７４】
HDRデータをそのまま表示可能であるとステップＳ１０２において判定された場合、ステップＳ１０３において、信号処理部１０３は、HDRデータの映像を、HDR情報により指定される輝度に従ってモニタ１０４に表示させる。例えば、図１２の曲線Ｌ１２で示す輝度の特性がHDR情報により指定されている場合、各輝度値は曲線Ｌ１２で示す0-400％の範囲の明るさを表す。
【０２７５】
一方、HDRデータをそのまま表示させることができないとステップＳ１０２において判定された場合、ステップＳ１０４において、信号処理部１０３は、モニタ１０４の表示性能に応じて輝度を調整し、輝度を調整したHDRデータの映像を表示させる。例えば、図１２の曲線Ｌ１２で示す輝度の特性がHDR情報により指定されており、モニタ１０４のダイナミックレンジが0-300％である場合、各輝度値が0-300％の範囲の明るさを表すように圧縮される。
【０２７６】
ステップＳ１０３、またはステップＳ１０４においてHDRデータの映像が表示された後、ステップＳ１０５において、コントローラ１０１は、表示を終了するか否かを判定し、終了しないと判定した場合、ステップＳ１０１以降の処理を繰り返す。ステップＳ１０５において表示を終了すると判定した場合、コントローラ１０１は、処理を終了する。
【０２７７】
以上の一連の処理により、記録装置１は、マスターのHDRデータをHDRデータのまま光ディスク１１に記録し、再生装置２に再生させてHDRデータの映像を表示装置３に表示させることができる。また、記録装置１は、HDRデータとともにHDR-STD変換用のtone mapping定義情報を光ディスク１１に記録するので、再生装置２は、そのHDR-STD変換用のtone mapping定義情報に基づいてHDRデータをSTDデータに変換し、STDデータしか表示できない表示装置３にSTDデータの映像を表示させることができる。
【０２７８】
また、記録装置１は、マスターのHDRデータをSTDデータに変換して光ディスク１１に記録するとともに、STD-HDR変換用のtone mapping定義情報を光ディスク１１に記録することにより、再生装置２にHDRデータを復元させ、HDRデータの映像を表示装置３に表示させることができる。
【０２７９】
HDRデータを再生する際、マスターのHDRデータの輝度の特性をHDR情報によって指定することができるようにすることにより、コンテンツのオーサーは、意図したとおりの輝度でHDRデータの映像を表示させることが可能になる。
【０２８０】
また、記録装置１は、クローズドキャプションのtone_mapping_infoを識別するtone_map_idを、クローズドキャプションとともにUser data unregistered SEI messageに記述する。従って、再生装置２は、そのtone_map_idに基づいて、Tone mapping information SEI messageに配置されたtone_mapping_infoのうちのクローズドキャプションのtone_mapping_infoを特定することができる。
【０２８１】
＜第２実施の形態＞
（AVストリームの構成例）
図３２は、本技術を適用した記録・再生システムの第２実施の形態におけるAVストリームの構成例を示す図である。
【０２８２】
図３２に示すように、第２実施の形態では、tone_mapping_infoがビデオストリームに含まれるのではなく、ビデオストリームとは異なるストリームとしてAVストリームに含まれる。即ち、第２実施の形態のAVストリームには、主映像のビデオストリームと、それと同期して再生されるオーディオストリーム等だけでなく、tone_mapping_infoのストリームが多重化される。
【０２８３】
tone_mapping_infoのストリームであるTone_mapストリームには、１以上のtone_mapping_infoが含まれる。Tone_mapストリームに含まれるtone_mapping_infoは、そのTone_mapストリームに多重化されるビデオストリームの再生時に用いられる。
【０２８４】
（Tone_mapストリームのシンタクス）
図３３は、Tone_mapストリームのシンタクスを示す図である。
【０２８５】
図３３の４行目に示すように、Tone_mapストリームには、そのTone_mapストリームに含まれるtone_mapping_infoの数を表すnumber_of_tone_mapping_infoが記述される。また、６〜９行目に示すように、Tone_mapストリームには、１以上のtone_mapping_infoが記述される。tone_mapping_infoのシンタクスは、図７に示したものと同一である。
【０２８６】
第２実施の形態におけるPlayListファイルのSTN_tableのシンタクスは、図１７のSTN_tableのシンタクスと同一である。
【０２８７】
（符号化処理部２２の構成例）
図３４は、本技術を適用した記録・再生システムの第２実施の形態の記録装置１の符号化処理部２２の構成例を示す図である。
【０２８８】
図３４に示す構成のうち、図１９の構成と同じ構成には同じ符号を付してある。重複する説明については適宜省略する。
【０２８９】
図３４の符号化処理部２２の構成は、ストリーム生成部３５の代わりにストリーム生成部１２１が設けられる点が、図１９の構成と異なる。
【０２９０】
ストリーム生成部１２１は、HDR情報生成部３１から供給されたビデオのHDR情報を含むtone_mapping_infoと、定義情報生成部３４から供給されたビデオのtone mapping定義情報であるtone_mapping_infoの数をコントローラ２１に供給する。また、ストリーム生成部１２１は、それらのtone_mapping_infoのtone_map_idをコントローラ２１に供給する。
【０２９１】
ビデオのtone_mapping_infoの数は、Data Base情報生成部２１ＡによりPlayListファイルのSTN_table（図１７）の主映像のビデオのnumber_of_tone_mapping_info_refとして記述される。また、ビデオストリームのtone_map_idは、Data Base情報生成部２１ＡによりSTN_tableのビデオのtone_mapping_info_refとして記述される。
【０２９２】
ストリーム生成部１２１は、ビデオとクローズドキャプションのtone_mapping_infoを含むTone_mapストリームを生成する。また、ストリーム生成部１２１は、User data unregistered SEI messageとして、HDRクローズドキャプションまたはSTDクローズドキャプション、並びに、対応するtone_mapping_infoの数とtone_map_idを、HEVCエンコーダ３２から供給される符号化データに挿入し、ビデオストリームを生成する。ストリーム生成部１２１は、生成したTone_mapストリームとビデオストリームをディスクドライブ２３に出力する。
【０２９３】
これにより、Tone_mapストリームとビデオストリームを格納するストリームファイルが、図１６のディレクトリ構造に従って光ディスク１１に記録される。
【０２９４】
（復号処理部５６の構成例）
図３５は、本技術を適用した記録・再生システムの第２実施の形態の再生装置２の復号処理部５６の構成例を示す図である。
【０２９５】
図３５に示す構成のうち、図２３の構成と同じ構成には同じ符号を付してある。重複する説明については適宜省略する。
【０２９６】
図３５の復号処理部５６の構成は、パラメータ抽出部７１の代わりにパラメータ抽出部１３１が設けられる点が、図２３の構成と異なる。
【０２９７】
パラメータ抽出部１３１には、ディスクドライブ５２により読み出されたTone_mapストリームとビデオストリームが供給される。パラメータ抽出部１３１は、Tone_mapストリームからHDR情報とtone mapping定義情報を抽出する。また、パラメータ抽出部１３１は、ビデオストリームのUser data unregistered SEI messageから、HDRクローズドキャプションまたはSTDクローズドキャプション、および、クローズドキャプションのtone_mapping_info_refを抽出する。
【０２９８】
パラメータ抽出部１３１は、記録モードがmode-iであり、表示装置３にHDRデータを出力する場合、ビデオおよびクローズドキャプションのtone_mapping_info_refで特定されるtone_mapping_infoに含まれるHDR情報をHDRデータ出力部７５Ａに出力する。また、パラメータ抽出部１３１は、記録モードがmode-iであり、表示装置３にSTDデータを出力する場合、ビデオおよびクローズドキャプションのtone_mapping_info_refで特定されるHDR-STD変換用のtone mapping定義情報をHDR-STD変換部７３に出力する。
【０２９９】
一方、パラメータ抽出部１３１は、記録モードがmode-iiであり、表示装置３にHDRデータを出力する場合、ビデオおよびクローズドキャプションのtone_mapping_info_refで特定されるtone_mapping_infoに含まれるHDR情報をHDRデータ出力部７５Ａに出力する。また、この場合、パラメータ抽出部１３１は、ビデオおよびクローズドキャプションのtone_mapping_info_refで特定されるSTD-HDR変換用のtone mapping定義情報をSTD-HDR変換部７４に出力する。記録モードがmode-iiであり、表示装置３にSTDデータを出力する場合、抽出されたHDR情報とtone mapping定義情報は用いられない。
【０３００】
また、パラメータ抽出部１３１は、ビデオストリームに含まれる符号化データをHEVCデコーダ７２に出力する。パラメータ抽出部１３１は、HDRクローズドキャプションをHDR-STD変換部７３とHDRデータ出力部７５Ａに供給する。また、パラメータ抽出部１３１は、STDクローズドキャプションをSTD-HDR変換部７４とSTDデータ出力部７５Ｂに供給する。
【０３０１】
(記録処理の説明)
図３６は、記録装置１の第２の実施の形態による記録処理を説明するフローチャートである。図３６の記録処理は、マスターのHDRデータが記録装置１に入力されたときに開始される。
【０３０２】
ステップＳ１１１において、記録装置１のコントローラ２１は、図２５のステップＳ１の処理と同様に記録モードがmode-iであるか否かを判定する。
【０３０３】
記録モードがmode-iであるとステップＳ１１１において判定された場合、ステップＳ１１２において、符号化処理部２２はmode-iでの符号化処理を行う。mode-iでの符号化処理により生成されたビデオストリームとTone_mapストリームはディスクドライブ２３に供給される。
【０３０４】
一方、記録モードがmode-iiであるとステップＳ１１１において判定された場合、ステップＳ１１３において、符号化処理部２２はmode-iiでの符号化処理を行う。mode-iiでの符号化処理により生成されたビデオストリームとTone_mapストリームはディスクドライブ２３に供給される。
【０３０５】
ステップＳ１１４において、Data Base情報生成部２１Ａは、ストリーム生成部３５から供給されるビデオのtone_mapping_infoの数とtone_map_idを含むPlayListとmode_flagを含むClip InformationとからなるData Base情報を生成する。Data Base情報はディスクドライブ２３に供給される。
【０３０６】
ステップＳ１１５において、ディスクドライブ２３は、ビデオストリーム、Tone_mapストリーム、およびData Base情報を格納するファイルを光ディスク１１に記録する。その後、処理は終了する。
【０３０７】
図３７は、図３６のステップＳ１１２において行われるmode-iでの符号化処理を説明するフローチャートである。
【０３０８】
図３７のステップＳ１２１乃至Ｓ１２４の処理は、図２６のステップＳ１１乃至Ｓ１４の処理と同様であるので、説明は省略する。
【０３０９】
ステップＳ１２５において、ストリーム生成部１２１は、HDR情報生成部３１により生成されたHDR情報を含むtone_mapping_infoと、定義情報生成部３４により生成されたHDR-STD変換用のtone mapping定義情報であるtone_mapping_infoを含むTone_mapストリームを生成する。
【０３１０】
また、ストリーム生成部１２１は、ビデオのHDR情報を含むtone_mapping_infoとHDR-STD変換用のtone mapping定義情報であるtone_mapping_infoの数、および、それらのtone_mapping_infoのtone_map_idをコントローラ２１に供給する。
【０３１１】
ステップＳ１２６において、ストリーム生成部１２１は、符号化データのUser data unregistered SEI messageとして、HDRクローズドキャプション、および、HDRクローズドキャプションのtone_mapping_infoの数とtone_map_idを符号化データに挿入し、ビデオストリームを生成する。その後、図３６のステップＳ１１２に戻り、それ以降の処理が行われる。
【０３１２】
図３８は、図３６のステップＳ１１３において行われるmode-iiでの符号化処理を説明するフローチャートである。
【０３１３】
図３８のステップＳ１４１乃至Ｓ１４４の処理は、図２７のステップＳ２１乃至Ｓ２４の処理と同様であるので、説明は省略する。
【０３１４】
ステップＳ１４５において、ストリーム生成部１２１は、HDR情報生成部３１により生成されたHDR情報を含むtone_mapping_infoと、定義情報生成部３４により生成されたSTD-HDR変換用のtone mapping定義情報であるtone_mapping_infoを含むTone_mapストリームを生成する。
【０３１５】
また、ストリーム生成部１２１は、ビデオのHDR情報を含むtone_mapping_infoとSTD-HDR変換用のtone mapping定義情報であるtone_mapping_infoの数、および、それらのtone_mapping_infoのtone_map_idをコントローラ２１に供給する。
【０３１６】
ステップＳ１４６において、ストリーム生成部１２１は、符号化データのUser data unregistered SEI messageとして、STDクローズドキャプション、および、STDクローズドキャプションのtone_mapping_infoの数とtone_map_idを符号化データに挿入し、ビデオストリームを生成する。その後、図３６のステップＳ１１２に戻り、それ以降の処理が行われる。
【０３１７】
（再生処理の説明）
図３９は、再生装置２の第２実施の形態による再生処理を説明するフローチャートである。
【０３１８】
光ディスク１１の再生を開始する前などの所定のタイミングにおいて、再生装置２のコントローラ５１は、HDMI通信部５８を制御して表示装置３と通信を行い、表示装置３のメモリ１０１ＡからEDIDを読み出す。コントローラ５１は、EDIDをレジスタ５３Ａに記憶させて管理する。
【０３１９】
ステップＳ１７１において、コントローラ５１は、ディスクドライブ５２を制御し、Data Base情報であるPlayListとClip Informationを光ディスク１１から読み出す。また、コントローラ５１は、再生するビデオストリームとTone_mapストリームをPlayListに含まれる情報に基づいて特定する。コントローラ５１は、特定したビデオストリームとTone_mapストリームを、ディスクドライブ５２を制御して光ディスク１１から読み出す。
【０３２０】
ステップＳ１７２およびＳ１７３の処理は、図２８のステップＳ４２およびＳ４３の処理と同様であるので、説明は省略する。
【０３２１】
記録モードがmode-iであるとステップＳ１７３において判定された場合、ステップＳ１７４において、復号処理部５６はmode-iでの復号処理を行う。このmode-iでの復号処理の詳細は、後述する図４０を参照して説明する。
【０３２２】
一方、記録モードがmode-iiであるとステップＳ１７３において判定された場合、ステップＳ１７５において、復号処理部５６はmode-iiでの復号処理を行う。このmode-iiでの復号処理の詳細は、後述する図４１を参照して説明する。
【０３２３】
ステップＳ１７４またはステップＳ１７５において復号処理が行われた後、処理は終了する。
【０３２４】
図４０は、図３９のステップＳ１７４のmode-iでの復号処理を説明するフローチャートである。
【０３２５】
ステップＳ１８０において、復号処理部５６のパラメータ抽出部１３１は、ディスクドライブ５２から供給されるTone_mapストリームから、tone_mapping_infoを抽出する。
【０３２６】
ステップＳ１８１において、パラメータ抽出部１３１は、ビデオストリームのUser data unregistered SEI messageから、HDRクローズドキャプションおよびHDRクローズドキャプションのtone_mapping_info_refを抽出する。パラメータ抽出部１３１は、HDRクローズドキャプションをHDR-STD変換部７３とHDRデータ出力部７５Ａに供給する。また、パラメータ抽出部１３１は、ビデオストリームからHDRビデオの符号化データを抽出し、HEVCデコーダ７２に供給する。
【０３２７】
ステップＳ１８２乃至Ｓ１８９の処理は、図２９のステップＳ６２乃至Ｓ６９の処理と同様であるので、説明は省略する。ステップＳ１８９の処理後、処理は図３９のステップＳ１７４に戻り、処理は終了する。
【０３２８】
図４１は、図３９のステップＳ１７５のmode-iiでの復号処理の詳細を説明するフローチャートである。
【０３２９】
ステップＳ２００の処理は、図４０のステップＳ１８０の処理と同様である。
【０３３０】
ステップＳ２０１において、パラメータ抽出部１３１は、ビデオストリームのUser data unregistered SEI messageから、STDクローズドキャプションおよびSTDクローズドキャプションのtone_mapping_info_refを抽出する。パラメータ抽出部１３１は、STDクローズドキャプションをSTD-HDR変換部７４とSTDデータ出力部７５Ｂに供給する。また、パラメータ抽出部１３１は、ビデオストリームからSTDビデオの符号化データを抽出し、HEVCデコーダ７２に供給する。
【０３３１】
ステップＳ２０２乃至Ｓ２０８の処理は、図３０のステップＳ８２乃至Ｓ８８の処理と同様であるので、説明は省略する。ステップＳ２０８の処理後、処理は図３９のステップＳ１７５に戻り、処理は終了する。
【０３３２】
＜第３実施の形態＞
（コンピュータの構成例）
上述した符号化処理部２２、復号処理部５６、信号処理部１０３による処理は、ハードウェアにより実行することもできるし、ソフトウェアにより実行することもできる。これらの処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０３３３】
図４２は、上述した符号化処理部２２、復号処理部５６、信号処理部１０３による処理をプログラムにより実行するコンピュータのハードウェアの構成例を示すブロック図である。
【０３３４】
CPU５０１、ROM５０２、RAM５０３は、バス５０４により相互に接続されている。
【０３３５】
バス５０４には、さらに、入出力インタフェース５０５が接続されている。入出力インタフェース５０５には、キーボード、マウスなどよりなる入力部５０６、ディスプレイ、スピーカなどよりなる出力部５０７が接続される。また、入出力インタフェース５０５には、ハードディスクや不揮発性のメモリなどよりなる記憶部５０８、ネットワークインタフェースなどよりなる通信部５０９、リムーバブルメディア５１１を駆動するドライブ５１０が接続される。
【０３３６】
以上のように構成されるコンピュータでは、CPU５０１が、例えば、記憶部５０８に記憶されているプログラムを入出力インタフェース５０５及びバス５０４を介してRAM５０３にロードして実行することにより、上述した符号化処理部２２、復号処理部５６、信号処理部１０３による処理が行われる。
【０３３７】
CPU５０１が実行するプログラムは、例えばリムーバブルメディア５１１に記録して、あるいは、ローカルエリアネットワーク、インターネット、デジタル放送といった、有線または無線の伝送媒体を介して提供され、記憶部５０８にインストールされる。
【０３３８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３３９】
本技術の実施の形態は、上述した実施の形態に限定されるものではなく、本技術の要旨を逸脱しない範囲において種々の変更が可能である。
【０３４０】
例えば、mode_flagは、ビデオとクローズドキャプションで独立に設定されるようにしてもよい。また、mode_flagは、予め固定されている場合には、光ディスク１１に記録されなくてもよい。再生装置２は、HDRデータを表示装置３に送信する場合であってもHDR情報を表示装置３に送信しなくてもよい。再生装置２は、携帯端末によって構成されてもよい。
【０３４１】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３４２】
本技術は、符号化方式としてMPEG4（Moving Picture Experts Group phase 4）方式が採用された記録・再生システムにも適用することもできる。
【０３４３】
本技術は、以下のような構成をとることもできる。
【０３４４】
（１）
第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報を読み出す読み出し部と、
前記輝度変換定義情報に基づいて、前記拡張クローズドキャプションを前記標準クローズドキャプションに変換する変換部と、
前記拡張クローズドキャプションを表示可能な表示装置に対して、前記拡張クローズドキャプションおよび前記HDR情報を出力し、前記拡張クローズドキャプションを表示することができない表示装置に対して、前記変換部により変換された前記標準クローズドキャプションを出力する出力部と
を備える再生装置。
（２）
前記記録媒体は、HEVC（High Efficiency Video Coding）方式のビデオストリームを記録し、前記ビデオストリームのSEIとして、前記拡張クローズドキャプションを記録する
前記（１）に記載の再生装置。
（３）
前記記録媒体は、前記ビデオストリームのSEIとして前記HDR情報と前記輝度変換定義情報を識別する情報を記録する
前記（２）に記載の再生装置。
（４）
前記記録媒体は、前記ビデオストリームのSEIとして前記HDR情報と前記輝度変換定義情報を記録する
前記（２）または（３）に記載の再生装置。
（５）
前記記録媒体は、前記HDR情報と前記輝度変換定義情報を含む前記ビデオストリームとは異なるストリームを記録する
前記（２）または（３）に記載の再生装置。
（６）
前記輝度変換定義情報は、tone_map_model_idの値として0,2,3のうちのいずれかの値が設定された第１のtone_mapping_infoであり、
前記HDR情報は、tone_map_model_idの値として4が設定された第２のtone_mapping_infoである
前記（１）乃至（５）のいずれかに記載の再生装置。
（７）
再生装置が、
第１の輝度範囲と異なるより広い第２の輝度範囲のクローズドキャプションである拡張クローズドキャプション、前記拡張クローズドキャプションの輝度の特性を示すHDR情報、および、前記拡張クローズドキャプションから前記第１の輝度範囲のクローズドキャプションである標準クローズドキャプションへの輝度変換を行うときに用いられる輝度変換定義情報を記録した記録媒体から、前記拡張クローズドキャプション、前記HDR情報、および前記輝度変換定義情報を読み出す読み出しステップと、
前記輝度変換定義情報に基づいて、前記拡張クローズドキャプションを前記標準クローズドキャプションに変換する変換ステップと、
前記拡張クローズドキャプションを表示可能な表示装置に対して、前記拡張クローズドキャプションおよび前記HDR情報を出力し、前記拡張クローズドキャプションを表示することができない表示装置に対して、前記変換ステップの処理により変換された前記標準クローズドキャプションを出力する出力ステップと
を含む再生方法。
（８）
第１の輝度範囲と異なるより広い第２の輝度範囲のクローズドキャプションである拡張クローズドキャプションと、
前記拡張クローズドキャプションの輝度の特性を示すHDR情報と、
前記拡張クローズドキャプションから前記第１の輝度範囲のクローズドキャプションである標準クローズドキャプションへの輝度変換を行うときに用いられる輝度変換定義情報と
を記録した記録媒体であって、
前記記録媒体を再生する再生装置においては、
前記拡張クローズドキャプション、前記HDR情報、および前記輝度変換定義情報を前記記録媒体から読み出し、
前記輝度変換定義情報に基づいて、前記拡張クローズドキャプションを前記標準クローズドキャプションに変換し、
前記拡張クローズドキャプションを表示可能な表示装置に対して、前記拡張クローズドキャプションおよび前記HDR情報を出力し、前記拡張クローズドキャプションを表示することができない表示装置に対して、変換された前記標準クローズドキャプションを出力する
処理が行われる記録媒体。
（９）
第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報を読み出す読み出し部と、
前記輝度変換定義情報に基づいて、前記標準クローズドキャプションを前記拡張クローズドキャプションに変換する変換部と、
前記拡張クローズドキャプションを表示可能な表示装置に対して、前記変換部により変換された前記拡張クローズドキャプションおよび前記HDR情報を出力し、前記拡張クローズドキャプションを表示することができない表示装置に対して、前記標準クローズドキャプションを出力する出力部と
を備える再生装置。
（１０）
前記記録媒体は、HEVC（High Efficiency Video Coding）方式のビデオストリームを記録し、前記ビデオストリームのSEIとして、前記標準クローズドキャプションを記録する
前記（９）に記載の再生装置。
（１１）
前記記録媒体は、前記ビデオストリームのSEIとして前記HDR情報と前記輝度変換定義情報を識別する情報を記録する
前記（１０）に記載の再生装置。
（１２）
前記記録媒体は、前記ビデオストリームのSEIとして前記HDR情報と前記輝度変換定義情報を記録する
前記（１０）または（１１）に記載の再生装置。
（１３）
前記記録媒体は、前記HDR情報と前記輝度変換定義情報を含む前記ビデオストリームとは異なるストリームを記録する
前記（１０）または（１１）に記載の再生装置。
（１４）
前記輝度変換定義情報は、tone_map_model_idの値として0,2,3のうちのいずれかの値が設定された第１のtone_mapping_infoであり、
前記HDR情報は、tone_map_model_idの値として4が設定された第２のtone_mapping_infoである
前記（９）乃至（１３）のいずれかに記載の再生装置。
（１５）
再生装置が、
第１の輝度範囲のクローズドキャプションである標準クローズドキャプション、前記第１の輝度範囲と異なるより広い第２の輝度範囲のクローズドキャプションである拡張クローズドキャプションの輝度の特性を示すHDR情報、および、前記標準クローズドキャプションから前記拡張クローズドキャプションへの輝度変換を行うときに用いられる輝度変換定義情報を記録した記録媒体から、前記標準クローズドキャプション、前記HDR情報、および前記輝度変換定義情報を読み出す読み出しステップと、
前記輝度変換定義情報に基づいて、前記標準クローズドキャプションを前記拡張クローズドキャプションに変換する変換ステップと、
前記拡張クローズドキャプションを表示可能な表示装置に対して、前記変換ステップの処理により変換された前記拡張クローズドキャプションおよび前記HDR情報を出力し、前記拡張クローズドキャプションを表示することができない表示装置に対して、前記標準クローズドキャプションを出力する出力ステップと
を含む再生方法。
（１６）
第１の輝度範囲のクローズドキャプションである標準クローズドキャプションと、
前記第１の輝度範囲と異なるより広い第２の輝度範囲のクローズドキャプションである拡張クローズドキャプションの輝度の特性を示すHDR情報と、
前記標準クローズドキャプションから前記拡張クローズドキャプションへの輝度変換を行うときに用いられる輝度変換定義情報と
を記録した記録媒体であって、
前記記録媒体を再生する再生装置においては、
前記標準クローズドキャプション、前記HDR情報、および前記輝度変換定義情報を前記記録媒体から読み出し、
前記輝度変換定義情報に基づいて、前記標準クローズドキャプションを前記拡張クローズドキャプションに変換し、
前記拡張クローズドキャプションを表示可能な表示装置に対して、変換された前記拡張クローズドキャプションおよび前記HDR情報を出力し、前記拡張クローズドキャプションを表示することができない表示装置に対して、前記標準クローズドキャプションを出力する
処理が行われる記録媒体。
【符号の説明】
【０３４５】
２  再生装置，  １１  光ディスク，  ５２  ディスクドライブ，  ７３  HDR-STD変換部，  ７５  出力部
【図１】
2015025726.tif 000003
【図２】
2015025726.tif 000004
【図３】
2015025726.tif 000005
【図４】
2015025726.tif 000006
【図５】
2015025726.tif 000007
【図６】
2015025726.tif 000008
【図７】
2015025726.tif 000009
【図８】
2015025726.tif 000010
【図９】
2015025726.tif 000011
【図１０】
2015025726.tif 000012
【図１１】
2015025726.tif 000013
【図１２】
2015025726.tif 000014
【図１３】
2015025726.tif 000015
【図１４】
2015025726.tif 000016
【図１５】
2015025726.tif 000017
【図１６】
2015025726.tif 000018
【図１７】
2015025726.tif 000019
【図１８】
2015025726.tif 000020
【図１９】
2015025726.tif 000021
【図２０】
2015025726.tif 000022
【図２１】
2015025726.tif 000023
【図２２】
2015025726.tif 000024
【図２３】
2015025726.tif 000025
【図２４】
2015025726.tif 000026
【図２５】
2015025726.tif 000027
【図２６】
2015025726.tif 000028
【図２７】
2015025726.tif 000029
【図２８】
2015025726.tif 000030
【図２９】
2015025726.tif 000031
【図３０】
2015025726.tif 000032
【図３１】
2015025726.tif 000033
【図３２】
2015025726.tif 000034
【図３３】
2015025726.tif 000035
【図３４】
2015025726.tif 000036
【図３５】
2015025726.tif 000037
【図３６】
2015025726.tif 000038
【図３７】
2015025726.tif 000039
【図３８】
2015025726.tif 000040
【図３９】
2015025726.tif 000041
【図４０】
2015025726.tif 000042
【図４１】
2015025726.tif 000043
【図４２】
2015025726.tif 000044
【国際調査報告】
2015025726.tif 000045
2015025726.tif 000046
2015025726.tif 000047
2015025726.tif 000048